(57)【特許請求の範囲】
【請求項１】
デバイス間（D2D）同期方法であって、前記方法は、
第1のユーザ機器によって、サービングセルの同期制御情報を取得するステップであって、前記サービングセルは、第1の伝送キャリア周波数上に配置される、ステップと、
前記第1のユーザ機器によって、第2の伝送キャリア周波数を探索することによって得られた第1の同期ソースが送信した第1の同期信号のアイデンティティと、前記第1の同期ソースの信号品質と、を取得するステップと、
前記第1のユーザ機器によって、前記第1の同期信号の前記アイデンティティ、前記第1の同期ソースの前記信号品質、および前記同期制御情報に従って、同期信号の送信を開始するか否かを判定するステップと、
同期信号の送信を開始すると判定された場合、前記第1のユーザ機器によって、第3の伝送キャリア周波数で第2の同期信号を送信するステップであって、前記第2の同期信号は、前記第3の伝送キャリア周波数で、少なくとも1つの第2のユーザ機器に、前記第2の同期信号に従って同期を行うように命令するために使用され、前記第3の伝送キャリア周波数の周波数は、前記第1の伝送キャリア周波数の周波数とは異なる、ステップと、
を含む、方法。
【請求項２】
前記第1のユーザ機器によって、第2の伝送キャリア周波数を探索することによって得られた第1の同期ソースが送信した第1の同期信号のアイデンティティと、前記第1の同期ソースの信号品質と、を取得する、前記ステップの前に、前記方法は、
前記第1のユーザ機器によって、予め構成された情報を使用することによって、前記サービングセルが送信したシステムブロードキャスト情報を受信することによって、または前記サービングセルが送信したRRC専用シグナリングを受信することによって、前記第2の伝送キャリア周波数の周波数に関する情報を取得するステップであって、前記周波数に関する前記情報は、前記第1のユーザ機器に、前記周波数に関する前記情報に対応する前記第2の伝送キャリア周波数で同期信号を探索するように命令するために使用される、ステップ
をさらに含む、請求項1に記載の方法。
【請求項３】
前記同期制御情報は、専用同期信号アイデンティティと、第1の予め設定された閾値と、を含み、
前記第1のユーザ機器によって、前記第1の同期信号の前記アイデンティティ、前記第1の同期ソースの前記信号品質、および前記同期制御情報に従って、同期信号の送信を開始するか否かを判定する、前記ステップは、
前記第1の同期信号の前記アイデンティティが前記専用同期信号アイデンティティと同じであり、かつ前記第1の同期ソースの前記信号品質が前記第1の予め設定された閾値未満である場合、前記第1のユーザ機器によって、同期信号の送信を開始すると判定するステップ、または
探索により同期信号が取得されない場合、前記第1のユーザ機器によって、同期信号の送信を開始すると判定するステップ
を含む、
請求項1または2に記載の方法。
【請求項４】
前記第1のユーザ機器によって、同期信号の送信を開始すると判定する、前記ステップの後、前記方法は、
前記第1のユーザ機器によって、前記専用同期信号アイデンティティに対応する同期信号を前記第2の同期信号として使用するステップ、または
前記第1のユーザ機器によって、前記第1の同期信号の前記アイデンティティと前記第1の同期ソースの前記信号品質とを前記サービングセルに送信するステップと、
前記第1のユーザ機器によって、前記サービングセルが送信した専用指示情報を受信するステップと、
前記第1のユーザ機器によって、前記専用指示情報に従って、前記専用同期信号アイデンティティに対応する同期信号を前記第2の同期信号として使用するステップと、
をさらに含む、請求項3に記載の方法。
【請求項５】
前記第2の伝送キャリア周波数の前記周波数は、前記第3の伝送キャリア周波数の前記周波数と同じである、請求項1から4のいずれか一項に記載の方法。
【請求項６】
D2D同期方法であって、前記方法は、
ユーザ機器によって、サービングセルの同期ソース検出制御情報を取得するステップであって、前記サービングセルは、第1の伝送キャリア周波数に配置される、ステップと、
前記ユーザ機器によって、第2の伝送キャリア周波数を探索することによって得られた第1の同期ソースが送信した第1の同期信号のアイデンティティと、前記第1の同期ソースの信号品質と、を取得するステップと、
前記ユーザ機器によって、前記第1の同期信号の前記アイデンティティ、前記第1の同期ソースの前記信号品質、および前記同期ソース検出制御情報に従って、第3の伝送キャリア周波数でD2D通信を行う同期ソースとして前記第1の同期ソースを使用するか否かを判定するステップであって、前記第3の伝送キャリア周波数の周波数は、前記第1の伝送キャリア周波数の周波数とは異なる、ステップと、
を含む、方法。
【請求項７】
前記ユーザ機器によって、第2の伝送キャリア周波数を探索することによって得られた第1の同期ソースが送信した第1の同期信号のアイデンティティと、前記第1の同期ソースの信号品質と、を取得する、前記ステップの前に、前記方法は、
前記ユーザ機器によって、予め構成された情報を使用することによって、前記サービングセルが送信したシステムブロードキャスト情報を受信することによって、または前記サービングセルが送信したRRC専用制御シグナリングを受信することによって、前記第2の伝送キャリア周波数の周波数に関する情報を取得するステップであって、前記周波数に関する前記情報は、前記ユーザ機器に、前記周波数に関する前記情報に対応する前記第2の伝送キャリア周波数で同期信号を探索するように命令するために使用される、ステップ
をさらに含む、請求項6に記載の方法。
【請求項８】
前記同期ソース検出制御情報は、専用同期信号アイデンティティと、第1の予め設定された閾値と、を含み、
前記ユーザ機器によって、前記第1の同期信号の前記アイデンティティ、前記第1の同期ソースの前記信号品質、および前記同期ソース検出制御情報に従って、第3の伝送キャリア周波数でD2D通信を行う同期ソースとして前記第1の同期ソースを使用するか否かを判定する、前記ステップは、
前記第1の同期信号の前記アイデンティティが前記専用同期信号アイデンティティと同じであり、かつ前記第1の同期ソースの前記信号品質が前記第1の予め設定された閾値よりも大きい場合、前記ユーザ機器によって、前記第3の伝送キャリア周波数でD2D通信を行う前記同期ソースとして前記第1の同期ソースを使用すると判定するステップ
を含む、
請求項6または7に記載の方法。
【請求項９】
ユーザ機器であって、前記ユーザ機器は、
サービングセルの同期制御情報を取得するように構成された取得ユニットであって、前記サービングセルは、第1の伝送キャリア周波数に配置され、
前記取得ユニットは、第2の伝送キャリア周波数を探索することによって得られた第1の同期信号のアイデンティティと、第1の同期ソースの信号品質と、を取得するようにさらに構成された、取得ユニットと、
前記取得ユニットが取得した前記第1の同期信号の前記アイデンティティ、前記第1の同期ソースの前記信号品質、および第1の取得ユニットが取得した前記同期制御情報に従って、同期信号の送信を開始するか否かを判定するように構成された判定ユニットと、
前記判定ユニットが同期信号の送信を開始すると判定した場合、第3の伝送キャリア周波数で第2の同期信号を送信するように構成された送信ユニットであって、前記第2の同期信号は、前記第3の伝送キャリア周波数で、少なくとも1つの第2のユーザ機器に、前記第2の同期信号に従って同期を行うように命令するために使用され、前記第3の伝送キャリア周波数の周波数は、前記第1の伝送キャリア周波数の周波数とは異なる、送信ユニットと、
を備える、ユーザ機器。
【請求項１０】
前記取得ユニットは、
予め構成された情報を使用することによって、前記サービングセルが送信したシステムブロードキャスト情報を受信することによって、または前記サービングセルが送信したRRC専用制御シグナリングを受信することによって、前記第2の伝送キャリア周波数の周波数に関する情報を取得するようにさらに構成され、前記周波数に関する前記情報は、前記ユーザ機器に、前記周波数に関する前記情報に対応する前記第2の伝送キャリア周波数で同期信号を探索するように命令するために使用される、
請求項9に記載のユーザ機器。
【請求項１１】
前記同期制御情報は、専用同期信号アイデンティティと、第1の予め設定された閾値と、を含み、
前記判定ユニットは、
前記第1の同期信号の前記アイデンティティが前記専用同期信号アイデンティティと同じであり、かつ前記第1の同期ソースの前記信号品質が前記第1の予め設定された閾値未満である場合、同期信号の送信を開始すると判定する、または
探索により同期信号が取得されない場合、同期信号の送信を開始すると判定する
ように特に構成される、
請求項9または10に記載のユーザ機器。
【請求項１２】
前記ユーザ機器は、
前記専用同期信号アイデンティティに対応する同期信号を前記第2の同期信号として使用するように構成される同期ユニット
をさらに備え、または
前記送信ユニットは、前記取得ユニットが取得した前記第1の同期信号の前記アイデンティティと前記第1の同期ソースの前記信号品質とを前記サービングセルに送信するようにさらに構成され、
前記ユーザ機器は、
前記サービングセルが送信した専用指示情報を受信するように構成された受信ユニット
をさらに備え、
前記同期ユニットは、前記受信ユニットが受信した前記専用指示情報に従って、前記専用同期信号アイデンティティに対応する同期信号を前記第2の同期信号として使用するようにさらに構成される、
請求項11に記載のユーザ機器。
【請求項１３】
ユーザ機器であって、前記ユーザ機器は、
サービングセルの同期ソース検出制御情報を取得するように構成された取得ユニットであって、前記サービングセルは、第1の伝送キャリア周波数に配置され、
前記取得ユニットは、第2の伝送キャリア周波数を探索することによって得られた第1の同期ソースが送信した第1の同期信号のアイデンティティと、前記第1の同期ソースの信号品質と、を取得するようにさらに構成された、取得ユニットと、
前記取得ユニットが取得した前記第1の同期信号の前記アイデンティティ、前記第1の同期ソースの前記信号品質、および前記同期ソース検出制御情報に従って、第3の伝送キャリア周波数でD2D通信を行う同期ソースとして前記第1の同期ソースを使用するか否かを判定するように構成された判定ユニットであって、前記第3の伝送キャリア周波数の周波数は、前記第1の伝送キャリア周波数の周波数とは異なる、判定ユニットと、
を備える、ユーザ機器。
【請求項１４】
前記取得ユニットは、予め構成された情報を使用することによって、前記サービングセルが送信したシステムブロードキャスト情報を受信することによって、または前記サービングセルが送信したRRC専用制御シグナリングを受信することによって、前記第2の伝送キャリア周波数の周波数に関する情報を取得するようにさらに構成され、前記周波数に関する前記情報は、前記ユーザ機器に、前記周波数に関する前記情報に対応する前記第2の伝送キャリア周波数で同期信号を探索するように命令するために使用される、請求項13に記載のユーザ機器。
【請求項１５】
前記同期ソース検出制御情報は、専用同期信号アイデンティティと、第1の予め設定された閾値と、を含み、
前記判定ユニットは、
前記第1の同期信号の前記アイデンティティが前記専用同期信号アイデンティティと同じであり、かつ前記第1の同期ソースの前記信号品質が前記第1の予め設定された閾値よりも大きい場合、前記第3の伝送キャリア周波数でD2D通信を行う前記同期ソースとして前記第1の同期ソースを使用する
ように特に構成される、
請求項13または14に記載のユーザ機器。
【請求項１６】
プロセッサに請求項１から８の何れか１項に記載の方法を実行させるためのプログラム。
【発明の詳細な説明】
【技術分野】
【０００１】
本発明の各実施形態は、通信技術の分野に関し、詳細には、D2D同期方法、ユーザ機器、およびサービングセルに関する。
【背景技術】
【０００２】
デバイス間（Device−to−Device、D2D）通信技術は、複数の端末がシステムの制御下で直接通信を行うことを可能にする技術である。しかしながら、D2D通信によっていくつかの特別なサービスを送信するために使用される周波数は、現在のサービングセルの周波数と異なることがあり、これらの特別なサービスのために、D2D通信は専用の伝送キャリア周波数で行われる必要がある。例えば、図1は、V2V／V2I通信の概略図である。車車間（Vehicle to Vehicle、V2V）通信／路車間（Vehicle to Infrastructure、V2I）通信サービス伝送を行うために使用される周波数は、現在のサービングセルの周波数と異なることがある。
【０００３】
従来技術は、サービス伝送キャリア周波数が現在のサービングセルのキャリア周波数と同じ場合に使用される同期送信メカニズムのみを含む。すなわち、ユーザ機器がサービス伝送キャリア周波数を探索して得られたサービングセルを得ることができる場合、そのユーザ機器はサービングセルと同期化される、またはユーザ機器が探索によってセルを取得できない場合、もしくはサービングセルのエッジにある場合、ユーザ機器は、周囲の同期ソースと同期されるか、またはユーザ機器自体が同期信号を送信する。従来技術は、サービス伝送キャリア周波数と現在のサービス提供中キャリア周波数が異なる周波数に配置される場合に使用される同期メカニズムをサポートしていない。従って、マルチキャリア周波数伝送シナリオにおける異なるユーザ機器間の同期の問題を解決する必要がある。
【発明の概要】
【０００４】
本発明の各実施形態は、マルチキャリア周波数伝送シナリオにおいて異なるユーザ機器間の同期の問題を解決するためのD2D同期方法、ユーザ機器、およびサービングセルを提供する。
【課題を解決するための手段】
【０００５】
第1の実施態様によれば、デバイス間D2D同期方法が提供され、本方法は、
第1のユーザ機器によって、サービングセルの同期制御情報を取得するステップであって、サービングセルは、第1の伝送キャリア周波数上に配置される、ステップと、
第1のユーザ機器によって、第2の伝送キャリア周波数を探索することによって得られた第1の同期ソースが送信した第1の同期信号のアイデンティティと、第1の同期ソースの信号品質と、を取得するステップと、
第1のユーザ機器によって、第1の同期信号のアイデンティティ、第1の同期ソースの信号品質、および同期制御情報に従って、同期信号の送信を開始するか否かを判定するステップと、
同期信号の送信を開始すると判定された場合、第1のユーザ機器によって、第3の伝送キャリア周波数で第2の同期信号を送信するステップであって、第2の同期信号は、第3の伝送キャリア周波数で、少なくとも1つの第2のユーザ機器に、第2の同期信号に従って同期を行うように命令するために使用され、第3の伝送キャリア周波数の周波数は、第1の伝送キャリア周波数の周波数とは異なる、ステップと、
を含む。
【０００６】
第1の可能な実施方式では、第1のユーザ機器によって、第2の伝送キャリア周波数を探索することによって得られた第1の同期ソースが送信した第1の同期信号のアイデンティティと、第1の同期ソースの信号品質と、を取得するステップの前に、本方法は、
第1のユーザ機器によって、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するステップであって、周波数に関する情報は、第1のユーザ機器に、周波数に関する情報に対応する第2の伝送キャリア周波数で同期信号を探索するように命令するために使用される、ステップ
をさらに含む。
【０００７】
第1の実施態様または第1の実施態様の第1の可能な実施方式に関連して、第2の可能な実施方式では、同期制御情報は、専用同期信号アイデンティティと、第1の予め設定された閾値と、を含み、
第1のユーザ機器によって、第1の同期信号のアイデンティティ情報、第1の同期ソースの信号品質、および同期制御情報に従って、同期信号の送信を開始するか否かを判定するステップは、
第1の同期信号のアイデンティティが専用同期信号アイデンティティと同じであり、かつ第1の同期ソースの信号品質が第1の予め設定された閾値未満である場合、第1のユーザ機器によって、同期信号の送信を開始すると判定するステップ、または
探索により同期信号が取得されない場合、第1のユーザ機器によって、同期信号の送信を開始すると判定するステップ
を含む。
【０００８】
第1の実施態様、第1の実施態様の第1の可能な実施方式、または第1の実施態様の第2の可能な実施方式に関連して、第3の可能な実施方式では、同期制御情報は、専用同期信号アイデンティティと、第2の予め設定された閾値と、を含み、
第1の同期信号のアイデンティティ情報、第1の同期ソースの信号品質、および同期制御情報に従って、同期信号の送信を開始するか否かを判定するステップは、
第1の同期信号のアイデンティティが専用同期信号アイデンティティとは異なり、かつ第1の同期ソースの信号品質が第2の予め設定された閾値よりも大きい場合、第1のユーザ機器によって、同期信号の送信を開始すると判定するステップ
を含む。
【０００９】
第1の実施態様、第1の実施態様の第1の可能な実施方式、第1の実施態様の第2の可能な実施方式、または第1の実施態様の第3の可能な実施方式に関連して、第4の可能な実施方式では、第1のユーザ機器によって、同期信号の送信を開始すると判定するステップの後、本方法は、
第1のユーザ機器によって、専用同期信号アイデンティティに対応する同期信号を第2の同期信号として使用するステップ、または
第1のユーザ機器によって、第1の同期信号のアイデンティティと第1の同期ソースの信号品質とをサービングセルに送信するステップと、
第1のユーザ機器によって、サービングセルが送信した専用指示情報を受信するステップと、
第1のユーザ機器によって、専用指示情報に従って、専用同期信号アイデンティティに対応する同期信号を第2の同期信号として使用するステップと、
をさらに含む。
【００１０】
第1の実施態様、第1の実施態様の第1の可能な実施方式、第1の実施態様の第2の可能な実施方式、第1の実施態様の第3の可能な実施方式、または第1の実施態様の第4の可能な実施方式に関連して、第5の可能な実施方式では、第2の伝送キャリア周波数の周波数は、第3の伝送キャリア周波数の周波数と同じである。
【００１１】
第1の実施態様、第1の実施態様の第1の可能な実施方式、第1の実施態様の第2の可能な実施方式、第1の実施態様の第3の可能な実施方式、第1の実施態様の第4の可能な実施方式、または第1の実施態様の第5の可能な実施方式に関連して、第6の可能な実施方式では、同期制御情報は、専用同期信号アイデンティティと、専用同期信号アイデンティティに対応する優先度と、第1の予め設定された優先度と、第3の予め設定された閾値と、を含み、
第1の同期信号のアイデンティティ、第1の同期ソースの信号品質、および同期制御情報に従って、同期信号の送信を開始するか否かを判定するステップは、
第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第3の予め設定された閾値未満である場合、第1のユーザ機器によって、同期信号の送信を開始すると判定するステップ
を含む。
【００１２】
第1の実施態様、第1の実施態様の第1の可能な実施方式、第1の実施態様の第2の可能な実施方式、第1の実施態様の第3の可能な実施方式、第1の実施態様の第4の可能な実施方式、第1の実施態様の第5の可能な実施方式、または第1の実施態様の第6の可能な実施方式に関連して、第7の可能な実施方式では、第1のユーザ機器によって、同期信号の送信を開始すると判定するステップの後、本方法は、
第1のユーザ機器によって、専用同期信号アイデンティティに対応する同期信号を第2の同期信号として使用するステップ、または
第1のユーザ機器によって、第1のサイドリンク同期信号アイデンティティを取得するステップと、
第1のユーザ機器によって、第1のサイドリンク同期信号アイデンティティに対応する同期信号を第2の同期信号として使用するステップであって、第1のサイドリンク同期信号アイデンティティは、同期制御情報に含まれ、かつ専用同期信号アイデンティティに対応する、ステップと、同期制御情報が複数の専用同期信号アイデンティティを含む場合、第1のユーザ機器が同期信号の送信を開始できる複数の第1の同期ソースを検出したときに、優先度が最も高く、かつ同期信号の送信を開始するために使用できる、専用同期信号アイデンティティに対応する第1のサイドリンク同期信号アイデンティティを取得し、第1のサイドリンク同期信号アイデンティティに対応する同期信号を第2の同期信号として使用する、ステップ、または
第1のユーザ機器によって、第1の同期信号のアイデンティティと第1の同期ソースの信号品質とをサービングセルに送信するステップと、
第1のユーザ機器によって、サービングセルが送信した専用指示情報を受信するステップと、
第1のユーザ機器によって、専用指示情報に従って、専用同期信号アイデンティティに対応する同期信号を第2の同期信号として使用するステップと、
をさらに含む。
【００１３】
第1の実施態様、第1の実施態様の第1の可能な実施方式、第1の実施態様の第2の可能な実施方式、第1の実施態様の第3の可能な実施方式、第1の実施態様の第4の可能な実施方式、第1の実施態様の第5の可能な実施方式、第1の実施態様の第6の可能な実施方式、または第1の実施態様の第7の可能な実施方式に関連して、第8の可能な実施方式では、同期制御情報は、専用同期信号アイデンティティと、専用同期信号アイデンティティに対応する優先度と、第2の予め設定された優先度と、第4の予め設定された閾値と、を含み、
第1の同期信号のアイデンティティ、第1の同期ソースの信号品質、および同期制御情報に従って、同期信号の送信を開始するか否かを判定するステップは、
第1の同期信号のアイデンティティが専用同期信号アイデンティティと同じであり、かつ専用同期信号アイデンティティに対応する優先度が第2の予め設定された優先度未満であり、かつ第1の同期ソースの信号品質が第4の予め設定された閾値よりも大きい場合、第1のユーザ機器によって、同期信号の送信を開始すると判定するステップ
を含む。
【００１４】
第1の実施態様、第1の実施態様の第1の可能な実施方式、第1の実施態様の第2の可能な実施方式、第1の実施態様の第3の可能な実施方式、第1の実施態様の第4の可能な実施方式、第1の実施態様の第5の可能な実施方式、第1の実施態様の第6の可能な実施方式、第1の実施態様の第7の可能な実施方式、または第1の実施態様の第8の可能な実施方式に関連して、第9の可能な実施方式では、第1のユーザ機器によって、同期信号の送信を開始すると判定するステップの後、本方法は、
第1のユーザ機器によって、専用同期信号アイデンティティに対応する同期信号を第2の同期信号として使用するステップ、または
第1のユーザ機器によって、第2のサイドリンク同期信号アイデンティティを取得し、第2のサイドリンク同期信号アイデンティティに対応する同期信号を第2の同期信号として使用する、ステップであって、第2のサイドリンク同期信号アイデンティティは、同期制御情報に含まれ、かつ専用同期信号アイデンティティに対応する、ステップ、または
第1のユーザ機器によって、第1の同期信号のアイデンティティと第1の同期ソースの信号品質とをサービングセルに送信するステップと、
第1のユーザ機器によって、サービングセルが送信した専用指示情報を受信するステップと、
第1のユーザ機器によって、専用指示情報に従って、専用同期信号アイデンティティに対応する同期信号を第2の同期信号として使用するステップと、
をさらに含む。
【００１５】
第1の実施態様、第1の実施態様の第1の可能な実施方式、第1の実施態様の第2の可能な実施方式、第1の実施態様の第3の可能な実施方式、第1の実施態様の第4の可能な実施方式、第1の実施態様の第5の可能な実施方式、第1の実施態様の第6の可能な実施方式、第1の実施態様の第7の可能な実施方式、第1の実施態様の第8の可能な実施方式、または第1の実施態様の第9の可能な実施方式に関連して、第10の可能な実施方式では、専用同期信号アイデンティティは、物理セルアイデンティティPCI、サイドリンク同期信号アイデンティティSLSS ID、PLMNアイデンティティ、または伝送キャリア周波数アイデンティティを含む。
【００１６】
第1の実施態様、第1の実施態様の第1の可能な実施方式、第1の実施態様の第2の可能な実施方式、第1の実施態様の第3の可能な実施方式、第1の実施態様の第4の可能な実施方式、第1の実施態様の第5の可能な実施方式、第1の実施態様の第6の可能な実施方式、第1の実施態様の第7の可能な実施方式、第1の実施態様の第8の可能な実施方式、第1の実施態様の第9の可能な実施方式、または第1の実施態様の第10の可能な実施方式に関連して、第11の可能な実施方式では、本方法は、
予め構成された情報を使用することによって、サービングセルがブロードキャストしたシステム情報を受信することによって、またはサービングセルが送信したRRC専用制御シグナリングを受信することによって、同期制御情報を取得するステップ
をさらに含む。
【００１７】
第2の実施態様によれば、D2D同期方法が提供され、本方法は、
ユーザ機器によって、サービングセルの同期ソース検出制御情報を取得するステップであって、サービングセルは、第1の伝送キャリア周波数に配置される、ステップと、
ユーザ機器によって、第2の伝送キャリア周波数を探索することによって得られた第1の同期ソースが送信した第1の同期信号のアイデンティティと、第1の同期ソースの信号品質と、を取得するステップと、
ユーザ機器によって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップであって、第3の伝送キャリア周波数の周波数は、第1の伝送キャリア周波数の周波数とは異なる、ステップと、
を含む。
【００１８】
第1の可能な実施方式では、ユーザ機器によって、第2の伝送キャリア周波数を探索することによって得られた第1の同期ソースが送信した第1の同期信号のアイデンティティと、第1の同期ソースの信号品質と、を取得するステップの前に、本方法は、
ユーザ機器によって、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するステップであって、周波数に関する情報は、ユーザ機器に、周波数に関する情報に対応する第2の伝送キャリア周波数で同期信号を探索するように命令するために使用される、ステップ
をさらに含む。
【００１９】
第2の実施態様または第2の実施態様の第1の可能な実施方式に関連して、第2の可能な実施方式では、同期ソース検出制御情報は、専用同期信号アイデンティティと、第1の予め設定された閾値と、を含み、
ユーザ機器によって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップは、
第1の同期信号のアイデンティティが専用同期信号アイデンティティと同じであり、かつ第1の同期ソースの信号品質が第1の予め設定された閾値よりも大きい場合、ユーザ機器によって、第3の伝送キャリア周波数でD2D通信を行う同期ソースとして第1の同期ソースを使用すると判定するステップ
を含む。
【００２０】
第2の実施態様、第2の実施態様の第1の可能な実施方式、または第2の実施態様の第2の可能な実施方式に関連して、第3の可能な実施方式では、同期ソース検出制御情報は、専用同期信号アイデンティティと、専用同期信号アイデンティティに対応する優先度と、第2の予め設定された閾値と、をさらに含み、
ユーザ機器によって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップは、
第1の同期信号のアイデンティティが専用同期信号アイデンティティと同じであり、かつ第1の同期ソースの信号品質が第2の予め設定された閾値よりも大きい場合、ユーザ機器によって、第1の同期ソースが候補同期ソースであると判定するステップと、
少なくとも1つの候補同期ソースが判定された場合、ユーザ機器によって、少なくとも1つの候補同期ソースにおける、専用同期信号アイデンティティに対応する優先度が最も高い同期ソースが、第3の伝送キャリア周波数でD2D通信を行う同期ソースであると判定するステップと、
を含む。
【００２１】
第2の実施態様、第2の実施態様の第1の可能な実施方式、第2の実施態様の第2の可能な実施方式、または第2の実施態様の第3の可能な実施方式に関連して、第4の可能な実施方式では、本方法は、
ユーザ機器によって、予め構成された情報を使用することによって、サービングセルがブロードキャストしたシステム情報を受信することによって、またはサービングセルが送信したRRC専用制御シグナリングを受信することによって、同期ソース検出制御情報を取得するステップ
をさらに含む。
【００２２】
第3の実施態様によれば、D2D同期方法が提供され、本方法は、
第1のサービングセルによって、第1のユーザ機器に同期制御情報を送信するステップであって、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、かつ第1の同期信号のアイデンティティおよび第1の同期ソースの信号品質に従って、第3の伝送キャリア周波数で第2の同期信号を送信するか否かを判定するように命令するために使用され、第1のサービングセルは、第1の伝送キャリア周波数に配置される、第1の伝送キャリア周波数の周波数は、第3の伝送キャリア周波数の周波数とは異なる、ステップと、
サービングセルによって、第2のユーザ機器に同期ソース検出制御情報を送信するステップであって、同期ソース検出制御情報は、第2のユーザ機器に、第4の伝送キャリア周波数を探索することによって得られた第2の同期ソースが送信した第3の同期信号のアイデンティティと、第3の同期ソースの信号品質と、を取得し、かつ第3の同期信号のアイデンティティおよび第3の同期ソースの信号品質に従って、第5の伝送キャリア周波数でD2D通信を行う同期ソースとして第2の同期ソースを使用するか否かを判定するように命令するために使用され、第5の伝送キャリア周波数の周波数は、第1の伝送キャリア周波数の周波数とは異なる、ステップと、
を含む。
【００２３】
第1の可能な実施方式では、本方法は、
サービングセルによって、第1のユーザ機器が送信した第1の同期信号のアイデンティティと第1の同期ソースの信号品質とを受信するステップと、
サービングセルによって、第1の同期信号のアイデンティティおよび第1の同期ソースの信号品質に従って、第1のユーザ機器に専用指示情報を送信するステップであって、専用指示情報は、第1のユーザ機器に、専用指示情報に従って第2の同期信号を判定するように命令するために使用される、ステップと、
をさらに含む。
【００２４】
第4の実施態様によれば、ユーザ機器が提供され、ユーザ機器は、
サービングセルの同期制御情報を取得するように構成された取得ユニットであって、サービングセルは、第1の伝送キャリア周波数に配置され、
取得ユニットは、第2の伝送キャリア周波数を探索することによって得られた第1の同期ソースが送信した第1の同期信号のアイデンティティと、第1の同期ソースの信号品質と、を取得するようにさらに構成された、取得ユニットと、
取得ユニットが取得した第1の同期信号のアイデンティティ、第1の同期ソースの信号品質、および第1の取得ユニットが取得した同期制御情報に従って、同期信号の送信を開始するか否かを判定するように構成された判定ユニットと、
判定ユニットが同期信号の送信を開始すると判定した場合、第3の伝送キャリア周波数で第2の同期信号を送信するように構成された送信ユニットであって、第2の同期信号は、第3の伝送キャリア周波数で、少なくとも1つの第2のユーザ機器に、第2の同期信号に従って同期を行うように命令するために使用され、第3の伝送キャリア周波数の周波数は、第1の伝送キャリア周波数の周波数とは異なる、送信ユニットと、
を備える。
【００２５】
第1の可能な実施方式では、取得ユニットは、
予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得する
ようにさらに構成され、周波数に関する情報は、第1のユーザ機器に、周波数に関する情報に対応する第2の伝送キャリア周波数で同期信号を探索するように命令するために使用される。
【００２６】
第4の実施態様または第4の実施態様の第1の可能な実施方式に関連して、第2の可能な実施方式では、同期制御情報は、専用同期信号アイデンティティと、第1の予め設定された閾値と、を含み、
判定ユニットは、
第1の同期信号のアイデンティティが専用同期信号アイデンティティと同じであり、かつ第1の同期ソースの信号品質が第1の予め設定された閾値未満である場合、同期信号の送信を開始すると判定する、または
探索により同期信号が取得されない場合、同期信号の送信を開始すると判定する
ように特に構成される。
【００２７】
第4の実施態様、第4の実施態様の第1の可能な実施方式、または第4の実施態様の第2の可能な実施方式に関連して、第3の可能な実施方式では、同期制御情報は、専用同期信号アイデンティティと、第2の予め設定された閾値と、を含み、
判定ユニットは、
第1の同期信号のアイデンティティが専用同期信号アイデンティティとは異なり、かつ第1の同期ソースの信号品質が第2の予め設定された閾値よりも大きい場合、同期信号の送信を開始すると判定する
ように特に構成される。
【００２８】
第4の実施態様、第4の実施態様の第1の可能な実施方式、第4の実施態様の第2の可能な実施方式、または第4の実施態様の第3の可能な実施方式に関連して、第4の可能な実施方式では、ユーザ機器は、同期ユニットと受信ユニットとをさらに備え、
同期ユニットは、専用同期信号アイデンティティに対応する同期信号を第2の同期信号として使用するように構成される、または
送信ユニットは、第2の取得ユニットが取得した第1の同期信号のアイデンティティと第1の同期ソースの信号品質とをサービングセルに送信するようにさらに構成され、
受信ユニットは、サービングセルが送信した専用指示情報を受信するように構成され、
同期ユニットは、受信ユニットが受信した専用指示情報に従って、専用同期信号アイデンティティに対応する同期信号を第2の同期信号として使用するようにさらに構成される。
【００２９】
第4の実施態様、第4の実施態様の第1の可能な実施方式、第4の実施態様の第2の可能な実施方式、第4の実施態様の第3の可能な実施方式、または第4の実施態様の第4の可能な実施方式に関連して、第5の可能な実施方式では、第2の伝送キャリア周波数の周波数は、第3の伝送キャリア周波数の周波数と同じである。
【００３０】
第4の実施態様、第4の実施態様の第1の可能な実施方式、第4の実施態様の第2の可能な実施方式、第4の実施態様の第3の可能な実施方式、第4の実施態様の第4の可能な実施方式、または第4の実施態様の第5の可能な実施方式に関連して、第6の可能な実施方式では、同期制御情報は、専用同期信号アイデンティティと、専用同期信号アイデンティティに対応する優先度と、第1の予め設定された優先度と、第3の予め設定された閾値と、を含み、
判定ユニットは、
第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第3の予め設定された閾値未満である場合、同期信号の送信を開始すると判定する
ように特に構成される。
【００３１】
第4の実施態様、第4の実施態様の第1の可能な実施方式、第4の実施態様の第2の可能な実施方式、第4の実施態様の第3の可能な実施方式、第4の実施態様の第4の可能な実施方式、第4の実施態様の第5の可能な実施方式、または第4の実施態様の第6の可能な実施方式に関連して、第7の可能な実施方式では、同期ユニットは、専用同期信号アイデンティティに対応する同期信号を第2の同期信号として使用するようにさらに構成される、または取得ユニットは、第1のサイドリンク同期信号アイデンティティを取得するようにさらに構成され、
同期ユニットは、取得ユニットが取得した第1のサイドリンク同期信号アイデンティティに対応する同期信号を第2の同期信号として使用するようにさらに構成され、第1のサイドリンク同期信号アイデンティティは、同期制御情報に含まれ、かつ専用同期信号アイデンティティに対応し、同期制御情報が複数の専用同期信号アイデンティティを含む場合、第1のユーザ機器が同期信号の送信を開始できる複数の第1の同期ソースを検出したときに、優先度が最も高く、かつ同期信号の送信を開始するために使用できる、専用同期信号アイデンティティに対応する第1のサイドリンク同期信号アイデンティティを取得し、第1のサイドリンク同期信号アイデンティティに対応する同期信号を第2の同期信号として使用する、または
送信ユニットは、取得ユニットが取得した第1の同期信号のアイデンティティと第1の同期ソースの信号品質とをサービングセルに送信するようにさらに構成され、
受信ユニットは、サービングセルが送信した専用指示情報を受信するようにさらに構成され、
同期ユニットは、受信ユニットが受信した専用指示情報に従って、専用同期信号アイデンティティに対応する同期信号を第2の同期信号として使用するようにさらに構成される。
【００３２】
第4の実施態様、第4の実施態様の第1の可能な実施方式、第4の実施態様の第2の可能な実施方式、第4の実施態様の第3の可能な実施方式、第4の実施態様の第4の可能な実施方式、第4の実施態様の第5の可能な実施方式、第4の実施態様の第6の可能な実施方式、または第4の実施態様の第7の可能な実施方式に関連して、第8の可能な実施方式では、同期制御情報は、専用同期信号アイデンティティと、専用同期信号アイデンティティに対応する優先度と、第2の予め設定された優先度と、第4の予め設定された閾値と、を含み、
判定ユニットは、
第1の同期信号のアイデンティティが専用同期信号アイデンティティと同じであり、かつ専用同期信号アイデンティティに対応する優先度が第2の予め設定された優先度未満であり、かつ第1の同期ソースの信号品質が第4の予め設定された閾値よりも大きい場合、同期信号の送信を開始すると判定する
ように特に構成される。
【００３３】
第4の実施態様、第4の実施態様の第1の可能な実施方式、第4の実施態様の第2の可能な実施方式、第4の実施態様の第3の可能な実施方式、第4の実施態様の第4の可能な実施方式、第4の実施態様の第5の可能な実施方式、第4の実施態様の第6の可能な実施方式、第4の実施態様の第7の可能な実施方式、または第4の実施態様の第8の可能な実施方式に関連して、第9の可能な実施方式では、同期ユニットは、専用同期信号アイデンティティに対応する同期信号を第2の同期信号として使用するようにさらに構成される、または
取得ユニットは、第2のサイドリンク同期信号アイデンティティを取得するように構成され、
同期ユニットは、取得ユニットが取得した第2のサイドリンク同期信号アイデンティティに対応する同期信号を第2の同期信号として使用するようにさらに構成され、第2のサイドリンク同期信号アイデンティティは、同期制御情報に含まれ、かつ専用同期信号アイデンティティに対応する、または
送信ユニットは、第1の同期信号のアイデンティティと第1の同期ソースの信号品質とをサービングセルに送信するようにさらに構成され、
受信ユニットは、サービングセルが送信した専用指示情報を受信するようにさらに構成され、
同期ユニットは、受信ユニットが受信した専用指示情報に従って、専用同期信号アイデンティティに対応する同期信号を第2の同期信号として使用するようにさらに構成される。
【００３４】
第4の実施態様、第4の実施態様の第1の可能な実施方式、第4の実施態様の第2の可能な実施方式、第4の実施態様の第3の可能な実施方式、第4の実施態様の第4の可能な実施方式、第4の実施態様の第5の可能な実施方式、第4の実施態様の第6の可能な実施方式、第4の実施態様の第7の可能な実施方式、第4の実施態様の第8の可能な実施方式、または第4の実施態様の第9の可能な実施方式に関連して、第10の可能な実施方式では、専用同期信号アイデンティティは、物理セルアイデンティティPCI、サイドリンク同期信号アイデンティティSLSS ID、PLMNアイデンティティ、または伝送キャリア周波数アイデンティティを含む。
【００３５】
第4の実施態様、第4の実施態様の第1の可能な実施方式、第4の実施態様の第2の可能な実施方式、第4の実施態様の第3の可能な実施方式、第4の実施態様の第4の可能な実施方式、第4の実施態様の第5の可能な実施方式、第4の実施態様の第6の可能な実施方式、第4の実施態様の第7の可能な実施方式、第4の実施態様の第8の可能な実施方式、第4の実施態様の第9の可能な実施方式、または第4の実施態様の第10の可能な実施方式に関連して、第11の可能な実施方式では、取得ユニットは、予め構成された情報を使用することによって、サービングセルがブロードキャストしたシステム情報を受信することによって、またはサービングセルが送信したRRC専用制御シグナリングを受信することによって、同期制御信号を取得するようにさらに構成される。
【００３６】
第5の実施態様によれば、ユーザ機器が提供され、ユーザ機器は、
サービングセルの同期ソース検出制御情報を取得するように構成された取得ユニットであって、サービングセルは、第1の伝送キャリア周波数に配置され、
取得ユニットは、第2の伝送キャリア周波数を探索することによって得られた第1の同期ソースが送信した第1の同期信号のアイデンティティと、第1の同期ソースの信号品質と、を取得するようにさらに構成された、取得ユニットと、
取得ユニットが取得した第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するように構成された判定ユニットであって、第3の伝送キャリア周波数の周波数は、第1の伝送キャリア周波数の周波数とは異なる、判定ユニットと、
を備える。
【００３７】
第1の可能な実施方式では、
取得ユニットは、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するようにさらに構成され、周波数に関する情報は、ユーザ機器に、周波数に関する情報に対応する第2の伝送キャリア周波数で同期信号を探索するように命令するために使用される。
【００３８】
第5の実施態様または第5の実施態様の第1の可能な実施方式に関連して、第2の可能な実施方式では、同期ソース検出制御情報は、専用同期信号アイデンティティと、第1の予め設定された閾値と、を含み、
判定ユニットは、
第1の同期信号のアイデンティティが専用同期信号アイデンティティと同じであり、かつ第1の同期ソースの信号品質が第1の予め設定された閾値よりも大きい場合、第3の伝送キャリア周波数でD2D通信を行う同期ソースとして第1の同期ソースを使用する
ように特に構成される。
【００３９】
第5の実施態様、第5の実施態様の第1の可能な実施方式、または第5の実施態様の第2の可能な実施方式に関連して、第3の可能な実施方式では、同期ソース検出制御情報は、専用同期信号アイデンティティと、第2の予め設定された閾値と、を含み、
判定ユニットは、
第1の同期信号のアイデンティティが専用同期信号アイデンティティと同じであり、かつ第1の同期ソースの信号品質が第2の予め設定された閾値よりも大きい場合、第1の同期ソースが候補同期ソースであると判定するように特に構成され、
判定ユニットは、少なくとも1つの候補同期ソースが判定された場合、少なくとも1つの候補同期ソースにおける、専用同期信号アイデンティティに対応する優先度が最も高い同期ソースが、第3の伝送キャリア周波数でD2D通信を行う同期ソースであると判定するようにさらに構成される。
【００４０】
第5の実施態様、第5の実施態様の第1の可能な実施方式、第5の実施態様の第2の可能な実施方式、または第5の実施態様の第3の可能な実施方式に関連して、第4の可能な実施方式では、取得ユニットは、予め構成された情報を使用することによって、サービングセルがブロードキャストしたシステム情報を受信することによって、またはサービングセルが送信したRRC専用制御シグナリングを受信することによって、同期ソース検出制御情報を取得するようにさらに構成される。
【００４１】
第6の実施態様によれば、サービングセルが提供され、サービングセルは、
第1のユーザ機器に同期制御情報を送信するように構成された送信ユニットであって、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、かつ第1の同期信号のアイデンティティおよび第1の同期ソースの信号品質に従って、第3の伝送キャリア周波数で第2の同期信号を送信するか否かを判定するように命令するために使用され、サービングセルは、第1の伝送キャリア周波数に配置され、第1の伝送キャリア周波数の周波数は、第3の伝送キャリア周波数の周波数とは異なり、
送信ユニットは、第2のユーザ機器に同期ソース検出制御情報を送信するようにさらに構成され、同期ソース検出制御情報は、第2のユーザ機器に、第4の伝送キャリア周波数を探索することによって得られた第2の同期ソースが送信した第3の同期信号のアイデンティティと、第3の同期ソースの信号品質と、を取得し、かつ第3の同期信号のアイデンティティおよび第3の同期ソースの信号品質に従って、第5の伝送キャリア周波数でD2D通信を行う同期ソースとして第2の同期ソースを使用するか否かを判定するように命令するために使用され、第5の伝送キャリア周波数の周波数は、第1の伝送キャリア周波数の周波数とは異なる、送信ユニット
を備える。
【００４２】
第1の可能な実施方式では、サービングセルは、
第1のユーザ機器が送信した第1の同期信号のアイデンティティと第1の同期ソースの信号品質とを受信するように構成された受信ユニットをさらに備え、
送信ユニットは、受信ユニットが受信した第1の同期信号のアイデンティティおよび第1の同期ソースの信号品質に従って、第1のユーザ機器に専用指示情報を送信するようにさらに構成され、専用指示情報は、第1のユーザ機器に、専用指示情報に従って第2の同期信号を判定するように命令するために使用される。
【００４３】
第7の実施態様によれば、ユーザ機器が提供され、ユーザ機器は、入力装置と、出力装置と、プロセッサと、メモリと、を備え、
プロセッサは、以下のステップ、すなわち、
サービングセルの同期制御情報を取得するステップであって、サービングセルは、第1の伝送キャリア周波数に配置される、ステップと、
第2の伝送キャリア周波数を探索することによって得られた第1の同期ソースが送信した第1の同期信号のアイデンティティと、第1の同期ソースの信号品質と、を取得するステップと、
第1の同期信号のアイデンティティ、第1の同期ソースの信号品質、および同期制御情報に従って、同期信号の送信を開始するか否かを判定するステップと、
同期信号の送信を開始すると判定された場合、第3の伝送キャリア周波数で第2の同期信号を送信するステップであって、第2の同期信号は、第3の伝送キャリア周波数で、少なくとも1つの第2のユーザ機器に、第2の同期信号に従って同期を行うように命令するために使用され、第3の伝送キャリア周波数の周波数は、第1の伝送キャリア周波数の周波数とは異なる、ステップと、
を行う。
【００４４】
第1の可能な実施方式では、プロセッサによって、第2の伝送キャリア周波数を探索することによって得られた第1の同期ソースが送信した第1の同期信号のアイデンティティと、第1の同期ソースの信号品質と、を取得するステップを行うステップの前に、プロセッサは、以下のステップ、すなわち、
予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するステップであって、周波数に関する情報は、第1のユーザ機器に、周波数に関する情報に対応する第2の伝送キャリア周波数で同期信号を探索するように命令するために使用される、ステップ
をさらに行う。
【００４５】
第7の実施態様または第7の実施態様の第1の可能な実施方式に関連して、第2の可能な実施方式では、同期制御情報は、専用同期信号アイデンティティと、第1の予め設定された閾値と、を含み、
プロセッサによって、第1の同期信号のアイデンティティ情報、第1の同期ソースの信号品質、および同期制御情報に従って、同期信号の送信を開始するか否かを判定するステップを行うステップは、
第1の同期信号のアイデンティティが専用同期信号アイデンティティと同じであり、かつ第1の同期ソースの信号品質が第1の予め設定された閾値未満である場合、第1のユーザ機器によって、同期信号の送信を開始すると判定するステップ、または
探索により同期信号が取得されない場合、第1のユーザ機器によって、同期信号の送信を開始すると判定するステップ
を含む。
【００４６】
第7の実施態様、第7の実施態様の第1の可能な実施方式、または第7の実施態様の第2の可能な実施方式に関連して、第3の可能な実施方式では、同期制御情報は、専用同期信号アイデンティティと、第2の予め設定された閾値と、を含み、
プロセッサによって、第1の同期信号のアイデンティティ情報、第1の同期ソースの信号品質、および同期制御情報に従って、同期信号の送信を開始するか否かを判定するステップを行うステップは、
第1の同期信号のアイデンティティが専用同期信号アイデンティティとは異なり、かつ第1の同期ソースの信号品質が第2の予め設定された閾値よりも大きい場合、同期信号の送信を開始すると判定するステップ
を含む。
【００４７】
第7の実施態様、第7の実施態様の第1の可能な実施方式、第7の実施態様の第2の可能な実施方式、または第7の実施態様の第3の可能な実施方式に関連して、第4の可能な実施方式では、プロセッサによって、同期信号の送信を開始すると判定するステップを行うステップの後、プロセッサは、以下のステップ、すなわち、
専用同期信号アイデンティティに対応する同期信号を第2の同期信号として使用するステップ、または
第1の同期信号のアイデンティティと第1の同期ソースの信号品質とをサービングセルに送信するステップと、
サービングセルが送信した専用指示情報を受信するステップと、
専用指示情報に従って、専用同期信号アイデンティティに対応する同期信号を第2の同期信号として使用するステップと、
をさらに行う。
【００４８】
第7の実施態様、第7の実施態様の第1の可能な実施方式、第7の実施態様の第2の可能な実施方式、第7の実施態様の第3の可能な実施方式、または第7の実施態様の第4の可能な実施方式に関連して、第5の可能な実施方式では、第2の伝送キャリア周波数の周波数は、第3の伝送キャリア周波数の周波数と同じである。
【００４９】
第7の実施態様、第7の実施態様の第1の可能な実施方式、第7の実施態様の第2の可能な実施方式、第7の実施態様の第3の可能な実施方式、第7の実施態様の第4の可能な実施方式、または第7の実施態様の第5の可能な実施方式に関連して、第6の可能な実施方式では、同期制御情報は、専用同期信号アイデンティティと、専用同期信号アイデンティティに対応する優先度と、第1の予め設定された優先度と、第3の予め設定された閾値と、を含み、
プロセッサによって、第1の同期信号のアイデンティティ、第1の同期ソースの信号品質、および同期制御情報に従って、同期信号の送信を開始するか否かを判定するステップを行うステップは、
第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第3の予め設定された閾値未満である場合、同期信号の送信を開始すると判定するステップ
を含む。
【００５０】
第7の実施態様、第7の実施態様の第1の可能な実施方式、第7の実施態様の第2の可能な実施方式、第7の実施態様の第3の可能な実施方式、第7の実施態様の第4の可能な実施方式、第7の実施態様の第5の可能な実施方式、または第7の実施態様の第6の可能な実施方式に関連して、第7の可能な実施方式では、プロセッサによって、同期信号の送信を開始すると判定するステップを行うステップの後、プロセッサは、以下のステップ、すなわち、
専用同期信号アイデンティティに対応する同期信号を第2の同期信号として使用するステップ、または
第1のサイドリンク同期信号アイデンティティを取得するステップと、
第1のサイドリンク同期信号アイデンティティに対応する同期信号を第2の同期信号として使用するステップであって、第1のサイドリンク同期信号アイデンティティは、同期制御情報に含まれ、かつ専用同期信号アイデンティティに対応する、ステップと、同期制御情報が複数の専用同期信号アイデンティティを含む場合、第1のユーザ機器が同期信号の送信を開始できる複数の第1の同期ソースを検出したときに、優先度が最も高く、かつ同期信号の送信を開始するために使用できる、専用同期信号アイデンティティに対応する第1のサイドリンク同期信号アイデンティティを取得し、第1のサイドリンク同期信号アイデンティティに対応する同期信号を第2の同期信号として使用する、ステップ、または
第1の同期信号のアイデンティティと第1の同期ソースの信号品質とをサービングセルに送信するステップと、
サービングセルが送信した専用指示情報を受信するステップと、
専用指示情報に従って、専用同期信号アイデンティティに対応する同期信号を第2の同期信号として使用するステップと、
をさらに行う。
【００５１】
第7の実施態様、第7の実施態様の第1の可能な実施方式、第7の実施態様の第2の可能な実施方式、第7の実施態様の第3の可能な実施方式、第7の実施態様の第4の可能な実施方式、第7の実施態様の第5の可能な実施方式、第7の実施態様の第6の可能な実施方式、または第7の実施態様の第7の可能な実施方式に関連して、第8の可能な実施方式では、同期制御情報は、専用同期信号アイデンティティと、専用同期信号アイデンティティに対応する優先度と、第2の予め設定された優先度と、第4の予め設定された閾値と、を含み、
プロセッサによって、第1の同期信号のアイデンティティ、第1の同期ソースの信号品質、および同期制御情報に従って、同期信号の送信を開始するか否かを判定するステップを行うステップは、
第1の同期信号のアイデンティティが専用同期信号アイデンティティと同じであり、かつ専用同期信号アイデンティティに対応する優先度が第2の予め設定された優先度未満であり、かつ第1の同期ソースの信号品質が第4の予め設定された閾値よりも大きい場合、同期信号の送信を開始すると判定するステップ
を含む。
【００５２】
第7の実施態様、第7の実施態様の第1の可能な実施方式、第7の実施態様の第2の可能な実施方式、第7の実施態様の第3の可能な実施方式、第7の実施態様の第4の可能な実施方式、第7の実施態様の第5の可能な実施方式、第7の実施態様の第6の可能な実施方式、第7の実施態様の第7の可能な実施方式、または第7の実施態様の第8の可能な実施方式に関連して、第9の可能な実施方式では、プロセッサによって、同期信号の送信を開始すると判定するステップを行うステップの後、プロセッサは、以下のステップ、すなわち、
専用同期信号アイデンティティに対応する同期信号を第2の同期信号として使用するステップ、または
第2のサイドリンク同期信号アイデンティティを取得するステップと、
第2のサイドリンク同期信号アイデンティティに対応する同期信号を第2の同期信号として使用するステップであって、第2のサイドリンク同期信号アイデンティティは、同期制御情報に含まれ、かつ専用同期信号アイデンティティに対応する、ステップ、または
第1の同期信号のアイデンティティと第1の同期ソースの信号品質とをサービングセルに送信するステップと、
サービングセルが送信した専用指示情報を受信するステップと、
専用指示情報に従って、専用同期信号アイデンティティに対応する同期信号を第2の同期信号として使用するステップと、
をさらに行う。
【００５３】
第7の実施態様、第7の実施態様の第1の可能な実施方式、第7の実施態様の第2の可能な実施方式、第7の実施態様の第3の可能な実施方式、第7の実施態様の第4の可能な実施方式、第7の実施態様の第5の可能な実施方式、第7の実施態様の第6の可能な実施方式、第7の実施態様の第7の可能な実施方式、第7の実施態様の第8の可能な実施方式、または第7の実施態様の第9の可能な実施方式に関連して、第10の可能な実施方式では、専用同期信号アイデンティティは、物理セルアイデンティティPCI、サイドリンク同期信号アイデンティティSLSS ID、PLMNアイデンティティ、または伝送キャリア周波数アイデンティティを含む。
【００５４】
第7の実施態様、第7の実施態様の第1の可能な実施方式、第7の実施態様の第2の可能な実施方式、第7の実施態様の第3の可能な実施方式、第7の実施態様の第4の可能な実施方式、第7の実施態様の第5の可能な実施方式、第7の実施態様の第6の可能な実施方式、第7の実施態様の第7の可能な実施方式、第7の実施態様の第8の可能な実施方式、第7の実施態様の第9の可能な実施方式、または第7の実施態様の第10の可能な実施方式に関連して、第11の可能な実施方式では、プロセッサは、以下のステップ、すなわち、
予め構成された情報を使用することによって、サービングセルがブロードキャストしたシステム情報を受信することによって、またはサービングセルが送信したRRC専用制御シグナリングを受信することによって、同期制御情報を取得するステップ
をさらに行う。
【００５５】
第8の実施態様によれば、ユーザ機器が提供され、ユーザ機器は、入力装置と、出力装置と、プロセッサと、メモリと、を備え、
プロセッサは、以下のステップ、すなわち、
サービングセルの同期ソース検出制御情報を取得するステップであって、サービングセルは、第1の伝送キャリア周波数に配置される、ステップと、
第2の伝送キャリア周波数を探索することによって得られた第1の同期ソースが送信した第1の同期信号のアイデンティティと、第1の同期ソースの信号品質と、を取得するステップと、
第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップであって、第3の伝送キャリア周波数の周波数は、第1の伝送キャリア周波数の周波数とは異なる、ステップと、
を行う。
【００５６】
第1の可能な実施方式では、プロセッサによって、第2の伝送キャリア周波数を探索することによって得られた第1の同期ソースが送信した第1の同期信号のアイデンティティと、第1の同期ソースの信号品質と、を取得するステップを行うステップの前に、プロセッサは、以下のステップ、すなわち、
予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するステップであって、周波数に関する情報は、ユーザ機器に、周波数に関する情報に対応する第2の伝送キャリア周波数で同期信号を探索するように命令するために使用される、ステップ
をさらに行う。
【００５７】
第8の実施態様または第8の実施態様の第1の可能な実施方式に関連して、第2の可能な実施方式では、同期ソース検出制御情報は、専用同期信号アイデンティティと、第1の予め設定された閾値と、を含み、
プロセッサによって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップを行うステップは、
第1の同期信号のアイデンティティが専用同期信号アイデンティティと同じであり、かつ第1の同期ソースの信号品質が第1の予め設定された閾値よりも大きい場合、第3の伝送キャリア周波数でD2D通信を行う同期ソースとして第1の同期ソースを使用すると判定するステップ
を含む。
【００５８】
第8の実施態様、第8の実施態様の第1の可能な実施方式、または第8の実施態様の第2の可能な実施方式に関連して、第3の可能な実施方式では、同期ソース検出制御情報は、専用同期信号アイデンティティと、専用同期信号アイデンティティに対応する優先度と、第2の予め設定された閾値と、を含み、
プロセッサによって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップを行うステップは、
第1の同期信号のアイデンティティが専用同期信号アイデンティティと同じであり、かつ第1の同期ソースの信号品質が第2の予め設定された閾値よりも大きい場合、第1の同期ソースが候補同期ソースであると判定するステップと、
少なくとも1つの候補同期ソースが判定された場合、少なくとも1つの候補同期ソースにおける、専用同期信号アイデンティティに対応する優先度が最も高い同期ソースが、第3の伝送キャリア周波数でD2D通信を行う同期ソースであると判定するステップと、
を含む。
【００５９】
第8の実施態様、第8の実施態様の第1の可能な実施方式、第8の実施態様の第2の可能な実施方式、または第8の実施態様の第3の可能な実施方式に関連して、第4の可能な実施方式では、ユーザ機器は、以下のステップ、すなわち、
予め構成された情報を使用することによって、サービングセルがブロードキャストしたシステム情報を受信することによって、またはサービングセルが送信したRRC専用制御シグナリングを受信することによって、同期ソース検出制御情報を取得するステップ
をさらに行う。
【００６０】
第9の実施態様によれば、サービングセルが提供され、サービングセルは、入力装置と、出力装置と、プロセッサと、メモリと、を備え、
プロセッサは、以下のステップ、すなわち、
第1のユーザ機器に同期制御情報を送信するステップであって、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、かつ第1の同期信号のアイデンティティおよび第1の同期ソースの信号品質に従って、第3の伝送キャリア周波数で第2の同期信号を送信するか否かを判定するように命令するために使用され、サービングセルは、第1の伝送キャリア周波数に配置され、第1の伝送キャリア周波数の周波数は、第3の伝送キャリア周波数の周波数とは異なる、ステップと、
第2のユーザ機器に同期ソース検出制御情報を送信するステップであって、同期ソース検出制御情報は、第2のユーザ機器に、第4の伝送キャリア周波数を探索することによって得られた第2の同期ソースが送信した第3の同期信号のアイデンティティと、第3の同期ソースの信号品質と、を取得し、かつ第3の同期信号のアイデンティティおよび第3の同期ソースの信号品質に従って、第5の伝送キャリア周波数でD2D通信を行う同期ソースとして第2の同期ソースを使用するか否かを判定するように命令するために使用され、第5の伝送キャリア周波数の周波数は、第1の伝送キャリア周波数の周波数とは異なる、ステップと、
を行う。
【００６１】
第1の可能な実施方式では、プロセッサは、以下のステップ、すなわち、
第1のユーザ機器が送信した第1の同期信号のアイデンティティと第1の同期ソースの信号品質とを受信するステップと、
第1の同期信号のアイデンティティおよび第1の同期ソースの信号品質に従って、第1のユーザ機器に専用指示情報を送信するステップであって、専用指示情報は、第1のユーザ機器に、専用指示情報に従って第2の同期信号を判定するように命令するために使用される、ステップと、
をさらに行う。
【００６２】
本発明の実施形態で提供されるD2D同期方法、ユーザ機器、およびサービングセルによれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器は、サービングセルのキャリア周波数の周波数とは異なる周波数である、第3の伝送キャリア周波数で第2の同期信号を送信し、第2の同期信号は、第3の伝送キャリア周波数で、任意のユーザ機器に、ユーザ機器が送信した同期信号に従って同期を行うように命令するために使用され、その結果、マルチキャリア周波数伝送シナリオにおける異なるユーザ機器間における同期の問題を解決できる。
【００６３】
本発明の実施形態における、または従来技術における技術的な解決策をより明確に説明するために、以下、実施形態を説明するために必要な添付の図面を簡単に説明する。当然のことながら、以下の説明における添付の図面は、本発明の一部の実施形態を単に示すものであり、当業者は、創造的努力がなくても、これらの添付の図面から他の図面をさらに導出することができる。
【図面の簡単な説明】
【００６４】
【図１】V2V／V2I通信の概略図である。
【図２】本発明の一実施形態によるD2D同期方法の概略的な流れ図である。
【図３】本発明の一実施形態による別のD2D同期方法の概略的な流れ図である。
【図４】図3に示す実施形態に含まれるD2D通信シナリオの概略図である。
【図５】本発明の一実施形態によるさらに別のD2D同期方法の概略的な流れ図である。
【図６】図5に示す実施形態に含まれる別のD2D通信シナリオの概略図である。
【図７】本発明の一実施形態によるさらに別のD2D同期方法の概略的な流れ図である。
【図８】本発明の一実施形態によるさらに別のD2D同期方法の概略的な流れ図である。
【図９】本発明の一実施形態によるさらに別のD2D同期方法の概略的な流れ図である。
【図１０】本発明の一実施形態によるさらに別のD2D同期方法の概略的な流れ図である。
【図１１】本発明の一実施形態によるさらに別のD2D同期方法の概略的な流れ図である。
【図１２】本発明の一実施形態によるユーザ機器の概略的な構成図である。
【図１３】本発明の一実施形態による別のユーザ機器の概略的な構成図である。
【図１４】本発明の一実施形態によるさらに別のユーザ機器の概略的な構成図である。
【図１５】本発明の一実施形態によるサービングセルの概略的な構成図である。
【図１６】本発明の一実施形態による別のサービングセルの概略的な構成図である。
【図１７】本発明の一実施形態によるさらに別のユーザ機器の概略的な構成図である。
【図１８】本発明の一実施形態によるさらに別のユーザ機器の概略的な構成図である。
【図１９】本発明の一実施形態によるさらに別のサービングセルの概略的な構成図である。
【発明を実施するための形態】
【００６５】
以下、本発明の実施形態における添付の図面を参照しながら、本発明の実施形態における技術的な解決策を明確かつ完全に説明する。当然のことながら、説明される実施形態は、単に本発明の実施形態の一部に過ぎず、すべてではない。本発明の実施形態に基づいて、当業者によって創造的努力なしに得られるすべての他の実施形態は、本発明の保護範囲内に含まれるものとする。
【００６６】
本発明の実施形態におけるユーザ機器は、専用の伝送キャリア周波数で別のユーザ機器とD2D通信を行う必要がある。従って、ユーザ機器間の同期をまず行う必要がある。専用伝送キャリア周波数の周波数は、ユーザ機器にサービスを提供するサービングセルの周波数とは異なり、2つ以上のサービングセルにあるユーザ機器は、専用伝送キャリア周波数でD2D通信を行う。
【００６７】
本発明のユーザ機器は、ユーザ機器によって、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器によって、サービングセルのキャリア周波数の周波数とは異なる周波数である、第3の伝送キャリア周波数で第2の同期信号を送信し、第2の同期信号は、第3の伝送キャリア周波数で、任意のユーザ機器に、ユーザ機器が送信した同期信号に従って同期を行うように命令するために使用され、その結果、マルチキャリア周波数伝送シナリオにおける異なるユーザ機器間における同期の問題を解決できる。
【００６８】
以下、図2〜図11を参照して、本発明の実施形態で提供されるD2D同期方法について詳細に説明する。
【００６９】
図2は、本発明の一実施形態によるD2D同期方法の概略的な流れ図である。本方法は、以下のステップを含む。
【００７０】
ステップS101：第1のユーザ機器は、サービングセルの同期制御情報を取得する。
【００７１】
ユーザ機器が専用伝送キャリア周波数でD2D通信を行う必要がある場合、ユーザ機器は、D2D同期を行う必要がまずあり、ユーザ機器のサービングセルは、専用伝送キャリア周波数でユーザ機器によって行われる同期動作を制御する必要がある。本実施形態では、ユーザ機器UE1のサービングセルAは、UE1に同期制御情報を送信し、UE1は、サービングセルAの同期制御情報を受信する。同期制御情報は、ユーザ機器に、専用伝送キャリア周波数で同期動作をどのように行うかを示すために使用される。ここで、UE1は第1のユーザ機器として使用され、サービングセルAはUE1のサービングセルとして使用され、サービングセルAは第1の伝送キャリア周波数に配置され、専用伝送キャリア周波数は第3の伝送キャリア周波数であり、第3の伝送キャリア周波数の周波数は第1の伝送キャリア周波数の周波数とは異なる。
【００７２】
サービングセルAがUE1に送信した同期制御情報は、専用同期信号アイデンティティと、第1の予め設定された閾値と、を含む。本実施形態では、UE1は、予め構成された情報を使用することによって、サービングセルAが送信したシステムブロードキャスト情報を受信することによって、またはサービングセルAが送信した無線リソース制御（Radio Resource Control、RRC）専用シグナリングを受信することによって、同期制御情報を取得する。
【００７３】
ステップS102：第1のユーザ機器は、第2の伝送キャリア周波数を探索することによって得られた第1の同期ソースが送信した第1の同期信号のアイデンティティと、第1の同期ソースの信号品質と、を取得する。
【００７４】
UE1は、判定された第2の伝送キャリア周波数で同期信号を探索する。
【００７５】
第2の伝送キャリア周波数は、同期ソースが存在し得る伝送キャリア周波数であり、同期ソースは、周囲にある端末が第3の伝送キャリア周波数でD2D通信を行うための同期基準を提供し得る。本実施形態は、第2の伝送キャリア周波数の周波数に関する情報を取得するための方法を限定するものではない。場合により、UE1は、予め構成された情報を使用することによって、サービングセルAが送信したシステムブロードキャスト情報を受信することによって、またはサービングセルAが送信したRRC専用シグナリングを受信することによって、第2の伝送キャリア周波数の周波数に関する情報を取得し得る。第2の伝送キャリア周波数の周波数は、第3の伝送キャリア周波数の周波数と同じであっても異なってもよい。
【００７６】
第2の伝送キャリア周波数を探索することによってUE1が得た同期ソースを第1の同期ソースと呼び、同期ソースが送信した同期信号を第1の同期信号と呼ぶ。UE1は、第1の同期ソースが送信した第1の同期信号を取得し、第1の同期ソースの信号品質を測定により取得する。具体的な探索方法および信号測定方法は、既存の同期ソース探索方式および信号測定方式と同じであり、ここでは細部を説明しない。
【００７７】
ステップS103：第1のユーザ機器は、第1の同期信号のアイデンティティ、第1の同期ソースの信号品質、および同期制御情報に従って、同期信号の送信を開始するか否かを判定する。
【００７８】
UE1は、探索することによって取得した第1の同期ソースの第1の同期信号に対応するアイデンティティが同期制御情報に含まれる専用同期信号アイデンティティと同じであるか否かを比較し、探索することによって取得した第1の同期ソースの信号品質を、同期制御情報に含まれる第1の予め設定された閾値と比較して、同期信号の送信を開始するか否かを判定する。
【００７９】
一般的に、第2の伝送キャリア周波数を探索することによってUE1が得た第1の同期ソースが、UE1の周囲にあるユーザ機器が第3の伝送キャリア周波数でD2D通信を行うための同期基準を提供できない場合、UE1は、同期信号の送信の開始を始動する。
【００８０】
ステップS104：同期信号の送信を開始すると判定された場合、第1のユーザ機器は、第3の伝送キャリア周波数で第2の同期信号を送信し、第2の同期信号は、第3の伝送キャリア周波数で、少なくとも1つの第2のユーザ機器に、第2の同期信号に従って同期を行うように命令するために使用される。
【００８１】
本発明の本実施形態で提供されるD2D同期方法によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器は、サービングセルのキャリア周波数の周波数とは異なる周波数である、第3の伝送キャリア周波数で第2の同期信号を送信し、第2の同期信号は、第3の伝送キャリア周波数で、任意の近隣のユーザ機器に、ユーザ機器が送信した同期信号に従って同期を行うように命令するために使用され、その結果、マルチキャリア周波数伝送シナリオにおける異なるユーザ機器間における同期の問題を解決できる。
【００８２】
図3は、本発明の一実施形態による別のD2D同期方法の概略的な流れ図である。本方法は、以下のステップを含む。
【００８３】
ステップS201：第1のユーザ機器は、サービングセルの同期制御情報を取得する。
【００８４】
専用伝送キャリア周波数、つまり第3の伝送キャリア周波数でD2D通信を行うユーザ機器は、サービングセルAのネットワークカバレッジ内に配置されてもよいし、サービングセルAのネットワークカバレッジエッジ上またはサービングセルAのネットワークカバレッジ外に配置されてもよいし、サービングセルBおよびCに属し、サービングセルBおよびCのネットワークカバレッジ内に配置されてもよいし、サービングセルBおよびCのネットワークカバレッジエッジ上またはサービングセルBおよびCのネットワークカバレッジ外に配置されてもよい。サービングセルAは第1のユーザ機器UE1のサービングセルとして使用され、かつ第1の伝送キャリア周波数に配置され、第1の伝送キャリア周波数の周波数は第3の伝送キャリア周波数の周波数とは異なる。
【００８５】
UE1は、第1のユーザ機器として、サービングセルAが送信した同期制御情報を受信し、同期制御情報は、専用同期信号アイデンティティと、第1の予め設定された閾値および／または第2の予め設定された閾値と、を含む。
【００８６】
場合により、専用同期信号アイデンティティは、サイドリンク同期信号アイデンティティ（Sidelink Synchronisation Signal Identity、SLSSID）であり得、専用同期信号アイデンティティに対応する同期信号は、サイドリンク同期信号（Sidelink Synchronisation Signal、SLSS）であり得る。サイドリンク同期信号は、主サイドリンク同期信号（Primary Sidelink Synchronisation Signal，PSSS）と、副サイドリンク同期信号（Secondary Sidelink Synchronisation Signal、SSSS）と、を含む。
【００８７】
場合により、専用同期信号アイデンティティはまた、物理セルアイデンティティ（Physical Cell Identity、PCI）、伝送キャリア周波数アイデンティティ、または地上波公共移動通信ネットワーク（Public Land Mobile Network，PLMN）アイデンティティであってもよい。
【００８８】
場合により、専用同期信号アイデンティティが、物理セルアイデンティティPCI、伝送キャリア周波数アイデンティティ、またはPLMNアイデンティティである場合、同期制御情報は、専用同期信号アイデンティティに対応するサイドリンク同期信号アイデンティティをさらに含み得る。
【００８９】
場合により、同期制御情報は、第3の予め設定された閾値をさらに含む。
【００９０】
ステップS202：第1のユーザ機器は、第2の伝送キャリア周波数を探索することによって得られた第1の同期ソースが送信した第1の同期信号のアイデンティティと、第1の同期ソースの信号品質と、を取得する。
【００９１】
第2の伝送キャリア周波数は、同期ソースが存在し得るキャリア周波数であり、同期ソースは、周囲にあるユーザ機器が第3の伝送キャリア周波数でD2D通信を行うための同期基準を提供し得る。本実施形態は、第2の伝送キャリア周波数の周波数に関する情報をUEが取得するための方法を限定するものではない。場合により、UEは、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得し得る。
【００９２】
第2の伝送キャリア周波数を探索することによってUE1が得た同期ソースを第1の同期ソースと呼び、同期ソースが送信した同期信号を第1の同期信号と呼ぶ。UE1は、第1の同期ソースが送信した第1の同期信号を取得し、第1の同期ソースの信号品質を測定により取得する。具体的な探索方法および信号測定方法は、既存の同期ソース探索および信号測定方法と同じであり、ここでは細部を説明しない。
【００９３】
ステップS203：  第1の同期信号のアイデンティティが専用同期信号アイデンティティと同じであり、かつ第1の同期ソースの信号品質が第1の予め設定された閾値未満である場合、または探索により同期信号が取得されない場合、または第1の同期信号のアイデンティティが専用同期信号アイデンティティとは異なり、かつ第1の同期ソースの信号品質が第2の予め設定された閾値よりも大きい場合、第1のユーザ機器は、同期信号の送信を開始すると判定する。
【００９４】
具体的には、第1の同期信号のアイデンティティ、第1の同期ソースの信号品質、および同期制御情報が以下の条件のいずれか1つを満足する場合、UE1は、同期信号の送信を開始すると判定する。条件には、以下を含む：
第1の同期信号のアイデンティティが専用同期信号アイデンティティと同じであり、かつ第1の同期ソースの信号品質が第1の予め設定された閾値以下である、または
UE1が、いかなる同期ソースの同期信号も探索により取得できない、または
第1の同期信号のアイデンティティが専用同期信号アイデンティティとは異なり、かつ第1の同期ソースの信号品質が第2の予め設定された閾値よりも大きい。
【００９５】
場合により、同期制御情報が第3の予め設定された閾値をさらに含む場合、第1の同期信号のアイデンティティ、第1の同期ソースの信号品質、および同期制御情報が以下の条件のいずれか1つを満足する場合、UE1は、同期信号の送信を開始すると判定し得る。条件には、以下を含む：
第1の同期信号のアイデンティティが専用同期信号アイデンティティと同じであり、かつ第1の同期ソースの信号品質が第1の予め設定された閾値以下であり、かつサービングセルAの信号品質が第3の予め設定された閾値以上である、または
UE1が、いかなる同期ソースの同期信号も探索により取得できず、かつサービングセルAの信号品質が第3の予め設定された閾値以上である、または
第1の同期信号のアイデンティティが専用同期信号アイデンティティとは異なり、かつ第1の同期ソースの信号品質が第2の予め設定された閾値よりも大きく、かつサービングセルAの信号品質が第3の予め設定された閾値以上である。
【００９６】
図4は、D2D通信シナリオの概略図である。UE1およびUE2は、サービングセルAがサービスを提供するユーザ機器であり、UE1は、専用伝送キャリア周波数でD2D通信を行おうとしており、UE2は、サービングセルAのカバレッジ内に配置され、第1の同期信号を送信するための同期ソースとして使用される。UE1は、専用伝送キャリア周波数、つまり、第2の伝送キャリア周波数で探索し、UE2が送信した第1の同期信号を取得する。UE1は、第1の同期信号のアイデンティティを取得し、第1の同期信号のアイデンティティが同期制御情報にある専用同期信号アイデンティティと同じであることを比較により判定し、このことは、UE2が専用伝送キャリア周波数で行われるD2D通信のための同期基準を提供することがサービングセルAによって許可された同期ソースであることを表す。加えて、UE2の信号品質は、同期制御情報の第1の予め設定された閾値未満であり、このことは、UE2がUE1から比較的遠くに離れていることを表す。従って、UE2は、UE1の周囲にあるユーザ機器が専用伝送キャリア周波数でD2D通信を行うための同期基準をとても提供できない。このケースでは、UE1は、周囲にあるユーザ機器が専用伝送キャリア周波数でD2D通信を行うための同期基準を提供するために、同期信号を送信すると判定する。
【００９７】
ステップS204：第1のユーザ機器は、第3の伝送キャリア周波数で第2の同期信号を送信し、第2の同期信号は、第3の伝送キャリア周波数で、少なくとも1つの第2のユーザ機器に、第2の同期信号に従って同期を行うように命令するために使用される。
【００９８】
ステップS205：第1のユーザ機器は、専用同期信号アイデンティティに対応する同期信号を第2の同期信号として使用する。
【００９９】
場合により、専用同期信号アイデンティティが、SLSSIDである場合、第2の同期信号は、専用同期信号アイデンティティに対応するサイドリンク同期信号である。
【０１００】
場合により、専用同期信号アイデンティティが、PCI、伝送キャリア周波数アイデンティティ、またはPLMNアイデンティティである場合、第2の同期信号は、専用同期信号アイデンティティに対応するサイドリンク同期信号であり、専用同期信号アイデンティティとサイドリンク同期信号との間の対応関係は、同期制御情報に含まれ得る。例えば、同期制御情報は、専用同期信号アイデンティティPCI1と、対応する専用サイドリンク同期信号アイデンティティSLSSID1と、を含み、UE1が、第2の伝送キャリア周波数で第1の同期信号がPCI1であることを検出した場合、同期信号を送信すると判定されたならば、UE1は、SLSSID1に対応するサイドリンク同期信号を第2の同期信号として使用し、第3の伝送キャリア周波数で第2の同期信号を送信する。
【０１０１】
図4に示すD2D通信シナリオでは、同期信号を送信すると判定した後、UE1は、第3の伝送キャリア周波数で、専用同期信号アイデンティティに対応するサイドリンク同期信号を送信し、その結果、第3の伝送キャリア周波数の近隣のユーザ機器は、UE1が送信した同期信号に従って同期を行うことができる。
【０１０２】
場合により、ステップS205の代替的な方式では、第1のユーザ機器によって、同期信号の送信を開始すると判定する、ステップの後、本方法は、
第1のユーザ機器によって、第1の同期信号のアイデンティティと第1の同期ソースの信号品質とをサービングセルに送信するステップと、
第1のユーザ機器によって、サービングセルが送信した専用指示情報を受信するステップと、
第1のユーザ機器によって、専用指示情報に従って、専用同期信号アイデンティティに対応する同期信号を第2の同期信号として使用するステップと、
をさらに含む。
【０１０３】
つまり、サービングセルは、第1の同期信号のアイデンティティおよび第1の同期ソースの信号品質に従って、複数の第1の同期ソースから第1の同期ソースを判定する、または第1の同期ソースを選択し、第1のユーザ機器に、専用同期信号アイデンティティに対応する同期信号を第2の同期信号として使用するように命令する。
【０１０４】
専用指示情報は、開始指示情報であっても同期信号アイデンティティであってもよい。
【０１０５】
専用指示情報が開始指示情報である場合、第1のユーザ機器は、同期制御情報の専用同期信号アイデンティティに対応する同期信号を第2の同期信号として使用する。
【０１０６】
専用指示情報が同期信号アイデンティティである場合、専用指示情報に対応する同期信号を第2の同期信号として使用する。
【０１０７】
本実施形態では、サービングセルAの同期クロックまたは同期信号アイデンティティが専用同期信号アイデンティティである同期ソースの同期クロックに、UE1の同期クロックを合わせる必要があることに留意されたい。具体的なクロック同期方法は従来技術に属するものであり、ここでは細部を説明しない。
【０１０８】
本発明の本実施形態で提供されるD2D同期方法によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、同期信号アイデンティティが専用同期信号アイデンティティと同じである同期ソースによって送信された同期信号が探索することによって得られたが、探索することによって得られた同期ソースの信号品質が予め設定された閾値以下である場合、またはいかなる同期ソースが送信した同期信号も探索することによって得られない、もしくは探索することによって得られた同期ソースの信号品質は予め設定された閾値よりも大きいが、同期ソースの同期信号アイデンティティは、専用同期信号アイデンティティとは異なる場合、同期信号の送信を開始すると判定し、同期信号の送信を開始すると判定した場合、専用同期信号アイデンティティに対応する同期信号を第2の同期信号として使用し、ユーザ機器は、サービングセルのキャリア周波数の周波数とは異なる周波数である、第3の伝送キャリア周波数で第2の同期信号を送信し、第2の同期信号は、第3の伝送キャリア周波数で、任意のユーザ機器に、ユーザ機器が送信した第2の同期信号に従って同期を行うように命令するために使用され、その結果、マルチキャリア周波数伝送シナリオにおける異なるユーザ機器間における同期の問題を解決できる。
【０１０９】
図5は、本発明の一実施形態によるさらに別のD2D同期方法の概略的な流れ図である。本方法は、以下のステップを含む。
【０１１０】
ステップS301：第1のユーザ機器は、サービングセルの同期制御情報を取得する。
【０１１１】
サービングセルAは第1のユーザ機器UE1のサービングセルとして使用され、かつ第1の伝送キャリア周波数に配置され、サービングセルAは第1のユーザ機器UE1にネットワークサービスを提供する。UE1は、サービングセルAが送信した同期制御情報を受信し、同期制御情報は、専用同期信号アイデンティティと、専用同期信号アイデンティティに対応する優先度と、第1の予め設定された閾値および／または第2の予め設定された閾値と、第1の予め設定された優先度と、を少なくとも含む。
【０１１２】
場合により、同期制御情報は、複数の専用同期信号アイデンティティを含むことができ、各専用同期信号アイデンティティは、1対1で対応する優先度と、対応する第1の予め設定された閾値と、を有する。
【０１１３】
場合により、専用同期信号アイデンティティはまた、サイドリンク同期信号アイデンティティSLSSID、物理セルアイデンティティPCI、伝送キャリア周波数アイデンティティ、または地上波公共移動通信ネットワーク（Public Land Mobile Network，PLMN）アイデンティティであり得る。
【０１１４】
場合により、専用同期信号アイデンティティが、物理セルアイデンティティPCI、伝送キャリア周波数アイデンティティ、またはPLMNアイデンティティである場合、同期制御情報は、専用同期信号アイデンティティに対応するサイドリンク同期信号アイデンティティをさらに含み得る。
【０１１５】
場合により、同期制御情報は、第3の予め設定された閾値をさらに含む。
【０１１６】
ステップS302：第1のユーザ機器は、第2の伝送キャリア周波数を探索することによって得られた第1の同期ソースが送信した第1の同期信号のアイデンティティと、第1の同期ソースの信号品質と、を取得する。
【０１１７】
UE1は、第2の伝送キャリア周波数で、第1の同期ソースが送信した第1の同期信号を探索および検出し、第1の同期信号のアイデンティティと、第1の同期ソースの信号品質と、を取得する。
【０１１８】
ステップS302は、図2に示す実施形態におけるステップS102または図3に示す実施形態におけるステップS202と同じであり、ここでは細部を繰り返し説明しない。
【０１１９】
ステップS303：第1のユーザ機器は、第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第3の予め設定された閾値未満である場合、または第1の同期信号のアイデンティティが専用同期信号アイデンティティと同じであり、かつ専用同期信号アイデンティティに対応する優先度が第2の予め設定された優先度未満であり、かつ第1の同期ソースの信号品質が第4の予め設定された閾値よりも大きい場合、同期信号の送信を開始すると判定する。
【０１２０】
具体的には、以下の条件のうちのいずれか1つを満足した場合、UE1は、同期信号の送信を開始すると判定する。条件には、以下を含む：
第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第1の予め設定された閾値未満である場合、または
第1の同期信号のアイデンティティが専用同期信号アイデンティティと同じであり、かつ専用同期信号アイデンティティに対応する優先度が第1の予め設定された優先度未満であり、かつ第1の同期ソースの信号品質が第2の予め設定された閾値以上である場合、または
UE1が、いかなる同期ソースの同期信号も探索により取得できない。
【０１２１】
場合により、同期制御情報が第3の予め設定された閾値を含む場合、第1の同期信号のアイデンティティ、第1の同期ソースの信号品質、および同期制御情報が以下の条件のいずれか1つを満足する場合、UE1は、同期信号の送信を開始すると判定し得る。条件には、以下を含む：
第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第1の予め設定された閾値未満であり、かつサービングセルAの信号品質が第3の予め設定された閾値以上である、または
第1の同期信号のアイデンティティが専用同期信号アイデンティティと同じであり、かつ専用同期信号アイデンティティに対応する優先度が第1の予め設定された優先度未満であり、かつ第1の同期ソースの信号品質が第2の予め設定された閾値以上であり、かつサービングセルAの信号品質が第3の予め設定された閾値以上である、または
UE1が、いかなる同期ソースの同期信号も探索により取得できず、かつサービングセルAの信号品質が第3の予め設定された閾値以上である。
【０１２２】
ステップS304：第1のユーザ機器は、第3の伝送キャリア周波数で第2の同期信号を送信し、第2の同期信号は、第3の伝送キャリア周波数で、少なくとも1つの第2のユーザ機器に、第2の同期信号に従って同期を行うように命令するために使用される。
【０１２３】
ステップS305：第1のユーザ機器は、専用同期信号アイデンティティに対応する同期信号を第2の同期信号として使用する、または第1のユーザ機器は、サイドリンク同期信号アイデンティティを取得し、サイドリンク同期信号アイデンティティに対応する同期信号を第2の同期信号として使用する。
【０１２４】
場合により、専用同期信号アイデンティティが、SLSSIDである場合、第2の同期信号は、専用同期信号アイデンティティに対応するサイドリンク同期信号である。
【０１２５】
場合により、専用同期信号アイデンティティが、PCI、伝送キャリア周波数アイデンティティ、またはPLMNアイデンティティである場合、第2の同期信号は、専用同期信号アイデンティティに対応するサイドリンク同期アイデンティティに対応する同期信号であり、専用同期信号アイデンティティに対応するサイドリンク同期信号アイデンティティは、同期制御情報に含まれ得る。例えば、同期制御情報は、専用同期信号アイデンティティPCI1と、対応する専用サイドリンク同期信号アイデンティティSLSSID1と、を含み、UE1が、第2の伝送キャリア周波数で第1の同期信号がPCI1であることを検出した場合、同期信号を送信すると判定されたならば、UE1は、SLSSID1に対応するサイドリンク同期信号を第2の同期信号として使用し、第3の伝送キャリア周波数で第2の同期信号を送信する。
【０１２６】
場合により、同期制御情報が、複数の専用同期信号アイデンティティを含み、UE1が、少なくとも1つの第2の伝送キャリア周波数で、同期信号の送信を開始する条件を満足する複数の第1の同期ソースを検出する場合、UE1は、第1の同期ソースの同期信号アイデンティティに対応する優先度が最も高い同期ソースを判定し、同期ソースに対応するサイドリンク同期信号を第2の同期信号として使用し得る。探索することによって得られた第1の同期信号のアイデンティティが専用同期信号アイデンティティと同じである場合、第1の同期信号は、専用同期信号アイデンティティに対応する優先度を同じ優先度を有し、従って、第1の同期ソースの優先度がわかる。
【０１２７】
ステップS305の代替的な方式では、第1のユーザ機器によって、同期信号の送信を開始すると判定する、ステップの後、本方法は、
第1のユーザ機器によって、第1の同期信号のアイデンティティと第1の同期ソースの信号品質とをサービングセルに送信するステップと、
第1のユーザ機器によって、サービングセルが送信した専用指示情報を受信するステップと、
第1のユーザ機器によって、専用指示情報に従って、専用同期信号アイデンティティに対応する同期信号を第2の同期信号として使用するステップと、
をさらに含む。
【０１２８】
つまり、サービングセルは、第1の同期信号のアイデンティティおよび第1の同期ソースの信号品質に従って、複数の第1の同期ソースから第1の同期ソースを判定する、または第1の同期ソースを選択し、第1のユーザ機器に、専用同期信号アイデンティティに対応する同期信号を第2の同期信号として使用するように命令する。
【０１２９】
専用指示情報は、開始指示情報であっても同期信号アイデンティティであってもよい。
【０１３０】
専用指示情報が開始指示情報である場合、第1のユーザ機器は、同期制御情報の専用同期信号アイデンティティに対応する同期信号を第2の同期信号として使用する。
【０１３１】
専用指示情報が同期信号アイデンティティである場合、専用指示情報に対応する同期信号を第2の同期信号として使用する。
【０１３２】
図6は、別のD2D通信シナリオの概略図である。UE1は、eNB2が送信した同期制御情報を受信し、同期制御情報は、複数の専用同期信号アイデンティティと、各専用同期信号アイデンティティに対応する優先度と、予め設定された優先度と、第2および第3の信号品質閾値と、を含む。対応する予め設定された信号品質閾値は、同期ソースのタイプが端末であるかサービングセルであるかに応じて設定され、第2の予め設定された信号品質閾値は、端末の同期信号の信号品質が要件を満足するか否かを評価するために使用され、第3の予め設定された信号品質閾値は、サービングセルの同期信号の信号品質が要件を満足するか否かを評価するために使用される。当然のことながら、第2の予め設定された信号品質閾値は、第3の予め設定された信号品質閾値と等しくてもよく、このケースでは、2つのパラメータは1つのパラメータであってもよい。専用同期信号アイデンティティに対応する優先度は異なり得る。従って、優先度の順番が存在する。
【０１３３】
図6では、UE1およびUE2のサービングセルの基地局はeNB2であり、UE3のサービングセルの基地局はeNB1である。UE2、eNB1、およびeNB2はすべて、第3の伝送キャリア周波数の同期ソースとして使用され得る。UE2、eNB1、およびeNB2が同期ソースとして使用される場合、UE2が送信した同期信号に対応するアイデンティティIDは、SLSSID1であり、eNB2が送信した同期信号のアイデンティティは、PCI1であり、eNB1が送信した同期信号は、PCI2である。3つの同期ソースの優先度、または同期ソースが送信した同期信号の優先度は、SLSSID1＞PCI2＞PCI1の順番である。当然のことながら、専用同期信号アイデンティティに対応する優先度のみが構成されることから、第1の同期信号の優先度は、第1の同期信号のアイデンティティが専用同期信号アイデンティティと同じである場合にのみ取得できる。当然のことながら、複数の専用同期信号アイデンティティがあってもよく、例えば、ここでは、専用同期信号アイデンティティは、SLSSID1、PCI2、およびPCI1を含む。ここでは、予め設定された優先度は、PCI1に対応する優先度である。
【０１３４】
図6を例にとると、eNB2は、UE1に同期制御情報を送信し、同期制御情報は、複数の専用同期信号アイデンティティを含む、すなわちSLSSID1、PCI1、PCI2、専用同期信号アイデンティティに対応する優先度、および優先度間の順番を含む。加えて、2つの信号品質閾値thresh1およびthresh2が指定されて、端末タイプの同期ソースの信号品質および基地局タイプまたはサービングセルタイプの同期ソースの信号品質が信号品質閾値を満足するか否かを別々に判定する。UE1は、同期制御情報を受信する。同期制御情報は、適応型同期開始命令をさらに運ぶことができ、UE1は、同期制御情報が適応型同期開始命令を運んだ後でのみ、以下のステップを行う。
【０１３５】
UE1は、第2の伝送キャリア周波数で同期信号を探索する。3つの第2の送信キャリア周波数、すなわち、専用伝送キャリア周波数、eNB1の伝送キャリア周波数、およびeNB2の伝送キャリア周波数がある。UE1は、異なる第2の伝送キャリア周波数で探索することによって、異なる同期ソースを取得する。つまり、探索した後、UE1は、専用伝送キャリア周波数で探索することによって端末タイプの同期ソースUE2を取得し、UE2が送信した同期信号のアイデンティティはSLSSID1であり、信号品質はthresh1未満である。加えて、UE1は、第2の伝送キャリア周波数で探索することによって基地局タイプの同期ソースeNB1を取得し、eNB1が送信した同期アイデンティティはPCI2であり、信号品質はthresh2未満である。加えて、UE1は、別の第2の伝送キャリア周波数で探索することによって基地局タイプの同期ソースeNB2を取得し、eNB2が送信した同期アイデンティティはPCI1であり、信号品質はthresh2未満である。UE1は、同期制御情報に従って、UE2とeNB1との同期優先度が両方とも、UE1のサービングセルeNB2の同期信号のアイデンティティPCI1の優先度よりも高いことを発見する。しかしながら、両方の優先度が高い同期信号の信号品質は、要件を満足できない。このケースでは、UE1は、第3の伝送キャリア周波数で同期信号を送信する必要があり、複数の専用同期信号アイデンティティの中で最も高い優先度を有するアイデンティティ、すなわち、SLSSID1が、送信される同期信号のアイデンティティとして使用される。
【０１３６】
第3の伝送キャリア周波数の別のUEは、UEのサービングセルが送信した同期ソース検出制御情報に従って、指定された伝送キャリア周波数で同期ソースを探索し、探索することによって得られた同期ソースの同期信号アイデンティティが専用同期信号アイデンティティと同じであり、かつ同期ソースの信号品質が予め設定された信号品質閾値よりも大きい場合、同期ソースが候補同期ソースであると判定し、複数の候補同期ソースが判定された場合、複数の候補同期ソースにおいて、同期信号アイデンティティに対応する優先度が最も高い同期ソースが第3の伝送キャリア周波数でD2D通信を行う同期ソースであると判定する。
【０１３７】
本発明の本実施形態で提供されるD2D同期方法によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器は、サービングセルのキャリア周波数の周波数とは異なる周波数である、第3の伝送キャリア周波数で第2の同期信号を送信し、第2の同期信号は、第3の伝送キャリア周波数で、任意のユーザ機器に、優先度が最も高く、信号品質が同期を行う条件を満足する同期信号を選択するように命令するために使用され、その結果、マルチキャリア周波数伝送シナリオにおける異なるユーザ機器間における同期の問題を解決できる。
【０１３８】
図7は、本発明の一実施形態によるさらに別のD2D同期方法の概略的な流れ図である。本方法は、以下のステップを含む。
【０１３９】
ステップS401：ユーザ機器は、サービングセルの同期ソース検出制御情報を取得し、サービングセルは、第1の伝送キャリア周波数に配置される。
【０１４０】
ユーザ機器が専用伝送キャリア周波数、つまり、第3の伝送キャリア周波数でD2D通信を行う必要がある場合、ユーザ機器は、D2D同期を行う必要がまずあり、ユーザ機器のサービングセルは、専用伝送キャリア周波数でユーザ機器によって行われる同期動作を制御する必要がある。本実施形態では、ユーザ機器UE2のサービングセルBは、UE2に同期ソース検出制御情報を送信し、UE2は、サービングセルBの同期ソース検出制御情報を受信する。同期ソース検出制御情報は、専用伝送キャリア周波数でD2D通信を行うことを選ぶ同期ソースが満足する必要がある条件を示すために使用される。本実施形態では、UE2はユーザ機器として使用され、サービングセルBはユーザ機器UE2のサービングセルとして使用され、サービングセルBは第1の伝送キャリア周波数に配置され、専用伝送キャリア周波数は第3の伝送キャリア周波数であり、第3の伝送キャリア周波数の周波数は第1の伝送キャリア周波数の周波数とは異なる。
【０１４１】
サービングセルBがUE2に送信した同期ソース検出制御情報は、専用同期信号アイデンティティと、第1の予め設定された閾値と、を含む。本実施形態では、UE2は、予め構成された情報を使用することによって、サービングセルBが送信したシステムブロードキャスト情報を受信することによって、またはサービングセルBが送信したRRC専用シグナリングを受信することによって、同期ソース検出制御情報を取得する。
【０１４２】
ステップS402：ユーザ機器は、第2の伝送キャリア周波数を探索することによって得られた第1の同期ソースが送信した第1の同期信号のアイデンティティと、第1の同期ソースの信号品質と、を取得する。
【０１４３】
ステップS403：ユーザ機器は、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定し、第3の伝送キャリア周波数の周波数は、第1の伝送キャリア周波数の周波数とは異なる。
【０１４４】
UE2は、判定された第2の伝送キャリア周波数で同期信号を探索する。
【０１４５】
第2の伝送キャリア周波数は、同期ソースが存在し得る伝送キャリア周波数であり、同期ソースは、周囲にある端末が第3の伝送キャリア周波数でD2D通信を行うための同期基準を提供し得る。本実施形態は、第2の伝送キャリア周波数の周波数に関する情報を取得するための方法を限定するものではない。場合により、UE2は、予め構成された情報を使用することによって、サービングセルBが送信したシステムブロードキャスト情報を受信することによって、またはサービングセルBが送信したRRC専用シグナリングを受信することによって、第2の伝送キャリア周波数の周波数に関する情報を取得し得る。第2の伝送キャリア周波数の周波数は、第3の伝送キャリア周波数の周波数と同じであっても異なってもよい。
【０１４６】
第2の伝送キャリア周波数を探索することによってUE2が得た同期ソースを第1の同期ソースと呼び、同期ソースが送信した同期信号を第1の同期信号と呼ぶ。UE2は、第1の同期ソースが送信した第1の同期信号を取得し、第1の同期ソースの信号品質を測定により取得する。具体的な探索方法および信号測定方法は、既存の同期ソース探索方式および信号測定方式と同じであり、ここでは細部を説明しない。
【０１４７】
UE2は、第1の同期信号のアイデンティティが同期ソース検出制御情報の専用信号アイデンティティと同じであるか否かと、第1の同期ソースの信号品質が同期ソース検出制御情報の第1の予め設定された閾値よりも大きいか否かと、を比較して、第3の伝送キャリア周波数でD2D通信を行う同期ソースとして第1の同期ソースを使用できるか否かを判定する。
【０１４８】
本発明の本実施形態で提供されるD2D同期方法によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期ソース検出制御情報に従って、サービングセルのキャリア周波数の周波数とは異なる第3の伝送キャリア周波数でD2D通信を行う同期ソースとして第1の同期ソースを使用するか否かを判定して、判定された同期ソースに従ってD2D通信を行う。
【０１４９】
図8は、本発明の一実施形態によるさらに別のD2D同期方法の概略的な流れ図である。本方法は、以下のステップを含む。
【０１５０】
ステップS501：ユーザ機器は、サービングセルの同期ソース検出制御情報を取得する。
【０１５１】
UE2は、本実施形態におけるユーザ機器として、サービングセルBが送信した同期ソース検出制御情報を受信する。サービングセルBは、ユーザ機器UE2のサービングセルとして使用され、同期ソース検出制御情報は、専用同期信号アイデンティティと第1の予め設定された閾値とを含む。
【０１５２】
場合により、専用同期信号アイデンティティは、SLSSIDであり得、専用同期信号アイデンティティに対応する同期信号は、SLSSであり得る。サイドリンク同期信号は、PSSSとSSSSとを含む。
【０１５３】
場合により、専用同期信号アイデンティティは、PCI、伝送キャリア周波数アイデンティティ、またはPLMNアイデンティティであってもよい。
【０１５４】
ステップS502：ユーザ機器は、第2の伝送キャリア周波数を探索することによって得られた第1の同期ソースが送信した第1の同期信号のアイデンティティと、第1の同期ソースの信号品質と、を取得する。
【０１５５】
第2の伝送キャリア周波数は、同期ソースが存在し得るキャリア周波数であり、同期ソースは、周囲にあるユーザ機器が第3の伝送キャリア周波数でD2D通信を行うための同期基準を提供し得る。
【０１５６】
本実施形態は、第2の伝送キャリア周波数の周波数に関する情報をUEが取得するための方法を限定するものではない。場合により、UEは、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得し得る。
【０１５７】
第2の伝送キャリア周波数を探索することによってUE2が得た同期ソースを第1の同期ソースと呼び、UE2は、第1の同期ソースが送信した第1の同期信号を取得し、第1の同期ソースの信号品質を測定により取得する。具体的な探索方法および信号測定方法は、既存の同期ソース探索および信号測定方法と同じであり、ここでは細部を説明しない。
【０１５８】
ステップS503：第1の同期信号のアイデンティティが専用同期信号アイデンティティと同じであり、かつ第1の同期ソースの信号品質が第1の予め設定された閾値よりも大きい場合、ユーザ機器は、第3の伝送キャリア周波数でD2D通信を行う同期ソースとして第1の同期ソースを使用すると判定する。
【０１５９】
探索によって得られた第1の同期信号のアイデンティティが専用同期信号アイデンティティと同じであり、かつ第1の同期ソースの信号品質が予め設定された閾値よりも大きい場合、第3の伝送キャリア周波数でD2D通信を行う同期ソースとして第1の同期ソースを使用すると判定される。第4の伝送キャリア周波数の周波数は、第3の伝送キャリア周波数の周波数とは異なる。
【０１６０】
本発明の本実施形態で提供されるD2D同期方法によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティが専用同期信号アイデンティティと同じであり、かつ第1の同期ソースの信号品質が第1の予め設定された閾値よりも大きい場合、サービングセルのキャリア周波数の周波数とは異なる第3の伝送キャリア周波数でD2D通信を行う同期ソースとして第1の同期ソースを使用すると判定して、判定された同期ソースに従ってD2D通信を行う。
【０１６１】
図9は、本発明の一実施形態によるさらに別のD2D同期方法の概略的な流れ図である。本方法は、以下のステップを含む。
【０１６２】
ステップS601：ユーザ機器は、サービングセルの同期ソース検出制御情報を取得する。
【０１６３】
サービングセルBはユーザ機器UE2のサービングセルとして使用され、かつ第1の伝送キャリア周波数に配置され、サービングセルBは第2のユーザ機器UE2にネットワークサービスを提供する。UE2は、サービングセルBが送信した同期ソース検出制御情報を受信し、同期ソース検出制御情報は、専用同期信号アイデンティティと、専用同期信号アイデンティティに対応する優先度と、第2の予め設定された閾値と、を含む。
【０１６４】
場合により、同期ソース検出制御情報は、複数の専用同期信号アイデンティティを含むことができ、各専用同期信号アイデンティティは、1対1で対応する優先度と、対応する第2の予め設定された閾値と、を有する。
【０１６５】
場合により、専用同期信号アイデンティティは、SLSSID、PCI、伝送キャリア周波数アイデンティティ、またはPLMNアイデンティティであってもよい。
【０１６６】
ステップS602：ユーザ機器は、第2の伝送キャリア周波数を探索することによって得られた第1の同期ソースが送信した第1の同期信号のアイデンティティと、第1の同期ソースの信号品質と、を取得する。
【０１６７】
ステップS602は、図8に示す実施形態におけるステップS502と同じであり、ここでは細部を繰り返し説明しない。
【０１６８】
ステップS603：第1の同期信号のアイデンティティが専用同期信号アイデンティティと同じであり、かつ第1の同期ソースの信号品質が第2の予め設定された閾値よりも大きい場合、ユーザ機器は、第1の同期ソースが候補同期ソースであると判定する。
【０１６９】
上述のように、同期ソース検出制御情報は、複数の専用同期信号アイデンティティを含むことができ、各専用同期信号アイデンティティは、1対1で対応する優先度と、対応する第2の予め設定された閾値と、を有する。複数の第1の同期信号が探索することによって得られ、かつ第1の同期信号のアイデンティティが専用同期信号アイデンティティとそれぞれ同じであり、かつ第1の同期ソースの信号品質が対応する第2の予め設定された閾値よりも大きい場合、第1の同期ソースが候補同期ソースであると判定されて、複数の同期ソースを判定する。
【０１７０】
ステップS604：少なくとも1つの候補同期ソースが判定された場合、ユーザ機器は、少なくとも1つの候補同期ソースにおける、専用同期信号アイデンティティに対応する優先度が最も高い同期ソースが、第3の伝送キャリア周波数でD2D通信を行う同期ソースであると判定する。
【０１７１】
第3の伝送キャリア周波数でD2D通信を行う同期ソースが最終的に判定された場合、複数の候補同期ソースにおける、専用同期信号アイデンティティに対応する優先度が最も高い同期ソースが、第3の伝送キャリア周波数でD2D通信を行う同期ソースであると判定される。第4の伝送キャリア周波数の周波数は、第3の伝送キャリア周波数の周波数とは異なる。
【０１７２】
本発明の本実施形態で提供されるD2D同期方法によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティが専用同期信号アイデンティティと同じであり、かつ第1の同期ソースの信号品質が第2の予め設定された閾値よりも大きい場合、第1の同期ソースが候補同期ソースであると判定し、少なくとも1つの候補同期ソースにおいて、専用同期信号アイデンティティに対応する優先度が最も高い同期ソースが、サービングセルのキャリア周波数の周波数とは異なる第3の伝送キャリア周波数でD2D通信を行う同期ソースであると判定して、判定された同期ソースに従ってD2D通信を行う。
【０１７３】
図10は、本発明の一実施形態によるさらに別のD2D同期方法の概略的な流れ図である。本方法は、以下のステップを含む。
【０１７４】
ステップS701：サービングセルは、第1のユーザ機器に同期制御情報を送信し、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、かつ第1の同期信号のアイデンティティおよび第1の同期ソースの信号品質に従って、第3の伝送キャリア周波数で第2の同期信号を送信するか否かを判定するように命令するために使用され、サービングセルは、第1の伝送キャリア周波数に配置され、第1の伝送キャリア周波数の周波数は、第3の伝送キャリア周波数の周波数とは異なる。
【０１７５】
ユーザ機器が専用伝送キャリア周波数でD2D通信を行う必要がある場合、ユーザ機器のサービングセルは、専用伝送キャリア周波数でユーザ機器によって行われる同期動作を制御する必要がある。本実施形態では、ユーザ機器UE1のサービングセルAは、UE1に同期制御情報を送信し、UE1は、サービングセルAの同期制御情報を受信する。同期制御情報は、ユーザ機器に、専用伝送キャリア周波数で同期動作をどのように行うかを示すために使用される。UE1は第1のユーザ機器として使用され、サービングセルAはUE1のサービングセルとして使用され、サービングセルAは第1の伝送キャリア周波数に配置され、専用伝送キャリア周波数は第3の伝送キャリア周波数であり、第3の伝送キャリア周波数の周波数は第1の伝送キャリア周波数の周波数とは異なる。
【０１７６】
サービングセルAがUE1に送信した同期制御情報は、専用同期信号アイデンティティと、第1の予め設定された閾値と、を含む。本実施形態では、UE1は、予め構成された情報を使用することによって、サービングセルAが送信したシステムブロードキャスト情報を受信することによって、またはサービングセルAが送信したRRC専用シグナリングを受信することによって、同期制御情報を取得する。
【０１７７】
UE1は、判定された第2の伝送キャリア周波数で同期信号を探索する。
【０１７８】
第2の伝送キャリア周波数は、同期ソースが存在し得る伝送キャリア周波数であり、同期ソースは、周囲にある端末が第3の伝送キャリア周波数でD2D通信を行うための同期基準を提供し得る。本実施形態は、第2の伝送キャリア周波数を取得するための方法を限定するものではない。場合により、UE1は、予め構成された情報を使用することによって、サービングセルAが送信したシステムブロードキャスト情報を受信することによって、またはサービングセルAが送信したRRC専用シグナリングを受信することによって、第2の伝送キャリア周波数の周波数を取得し得る。第2の伝送キャリア周波数の周波数は、第3の伝送キャリア周波数の周波数と同じであっても異なってもよい。  第2の伝送キャリア周波数を探索することによってUE1が得た同期ソースを第1の同期ソースと呼び、同期ソースが送信した同期信号を第1の同期信号と呼ぶ。
【０１７９】
UE1は、探索することによって取得した第1の同期ソースの第1の同期信号に対応するアイデンティティが同期制御情報に含まれる専用同期信号アイデンティティと同じであるか否かを比較し、探索することによって取得した第1の同期ソースの信号品質を、同期制御情報に含まれる第1の予め設定された閾値と比較して、同期信号の送信を開始するか否かを判定する。
【０１８０】
一般的に、第2の伝送キャリア周波数を探索することによってUE1が得た第1の同期ソースが、UE1の周囲にあるユーザ機器が第3の伝送キャリア周波数でD2D通信を行うための同期基準を提供できない場合、UE1は、同期信号の送信の開始を始動する。UE1は、第3の伝送キャリア周波数で同期信号を送信し、同期制御情報における専用同期信号アイデンティティが同期信号のアイデンティティとして使用される。
【０１８１】
ステップS702：サービングセルは、第2のユーザ機器に同期ソース検出制御情報を送信し、同期ソース検出制御情報は、第2のユーザ機器に、第4の伝送キャリア周波数を探索することによって得られた第2の同期ソースが送信した第3の同期信号のアイデンティティと、第3の同期ソースの信号品質と、を取得し、かつ第3の同期信号のアイデンティティおよび第3の同期ソースの信号品質に従って、第5の伝送キャリア周波数でD2D通信を行う同期ソースとして第2の同期ソースを使用するか否かを判定するように命令するために使用され、第5の伝送キャリア周波数の周波数は、第1の伝送キャリア周波数の周波数とは異なる。
【０１８２】
サービングセルのユーザ機器が第5の伝送キャリア周波数でD2D通信を行う場合、ユーザ機器は、第5の伝送キャリア周波数でD2D通信を行う同期ソースを判定する必要がさらにある。
【０１８３】
本実施形態では、ユーザ機器UE2のサービングセルAは、UE2に同期ソース検出制御情報を送信し、UE2は、サービングセルAの同期ソース検出制御情報を受信する。同期ソース検出制御情報は、専用伝送キャリア周波数でD2D通信を行う同期ソースが満足する必要がある条件を示すために使用される。UE2は第2のユーザ機器として使用され、サービングセルAはUE2のサービングセルとして使用され、サービングセルAは第1の伝送キャリア周波数に配置され、専用伝送キャリア周波数は第5の伝送キャリア周波数であり、第5の伝送キャリア周波数の周波数は第1の伝送キャリア周波数の周波数とは異なる。
【０１８４】
サービングセルAがUE2に送信した同期ソース検出制御情報は、専用同期信号アイデンティティと、第3の伝送キャリア周波数でD2D通信を行う同期ソースの信号品質の予め設定された閾値と、を含む。本実施形態では、UE2は、予め構成された情報を使用することによって、サービングセルAが送信したシステムブロードキャスト情報を受信することによって、またはサービングセルAが送信したRRC専用シグナリングを受信することによって、同期ソース検出制御情報を取得する。
【０１８５】
UE2は、判定された第4の伝送キャリア周波数で同期信号を探索する。
【０１８６】
第4の伝送キャリア周波数は、同期ソースが存在し得る伝送キャリア周波数であり、同期ソースは、周囲にある端末が第5の伝送キャリア周波数でD2D通信を行うための同期基準を提供し得る。本実施形態は、第4の伝送キャリア周波数を取得するための方法を限定するものではない。場合により、UE2は、予め構成された情報を使用することによって、サービングセルAが送信したシステムブロードキャスト情報を受信することによって、またはサービングセルAが送信したRRC専用シグナリングを受信することによって、第4の伝送キャリア周波数の周波数を取得し得る。第4の伝送キャリア周波数の周波数は、第5の伝送キャリア周波数の周波数と同じであっても異なってもよい。
【０１８７】
第4の伝送キャリア周波数を探索することによってUE2が得た同期ソースを第3の同期ソースと呼び、同期ソースが送信した同期信号を第3の同期信号と呼ぶ。
【０１８８】
UE2は、第3の同期信号のアイデンティティが同期ソース検出制御情報の専用信号アイデンティティと同じであるか否かと、第3の同期ソースの信号品質が同期ソース検出制御情報の予め設定された閾値よりも大きいか否かと、を比較して、第5の伝送キャリア周波数でD2D通信を行う同期ソースとして第3の同期ソースを使用できるか否かを判定する。
【０１８９】
本発明の本実施形態で提供されるD2D同期方法によれば、ユーザ機器は、探索することによって得られた同期信号のアイデンティティ、同期ソースの信号品質、およびサービングセルの同期制御情報に従って、同期信号の送信を開始するか否かを判定してもよく、同期信号の送信を開始すると判定された場合、ユーザ機器は、サービングセルのキャリア周波数の周波数とは異なる周波数の専用伝送キャリア周波数で第2の同期信号を送信して、専用伝送キャリア周波数で任意の近隣のユーザ機器を制御して、ユーザ機器が送信した同期信号に従って同期を行い、ユーザ機器は、探索することによって得られた同期信号のアイデンティティ、同期ソースの信号品質、およびサービングセルの同期ソース検出制御情報に従って、サービングセルのキャリア周波数の周波数とは異なる周波数の専用伝送キャリア周波数でD2D通信を行う同期ソースとして、探索することによって得られた同期ソースを使用するか否かを判定して、判定された同期ソースに従ってD2D通信を行う。
【０１９０】
図11は、本発明の一実施形態によるさらに別のD2D同期方法の概略的な流れ図である。本方法は、以下のステップを含む。
【０１９１】
ステップS801：サービングセルは、第1のユーザ機器に同期制御情報を送信し、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、第1の同期信号のアイデンティティおよび第1の同期ソースの信号品質に従って、同期信号を送信する必要があると判定された場合、サービングセルに第1の同期信号のアイデンティティおよび第1の同期ソースの信号品質を送信するように命令するために使用される。
【０１９２】
ステップS802：サービングセルは、第1のユーザ機器が送信した第1の同期信号のアイデンティティと第1の同期ソースの信号品質とを受信する。
【０１９３】
ステップS803：サービングセルは、第1の同期信号のアイデンティティおよび第1の同期ソースの信号品質に従って、第1のユーザ機器に専用指示情報を送信し、専用指示情報は、第1のユーザ機器に、専用指示情報に従って第2の同期信号を判定するように命令するために使用される。
【０１９４】
具体的には、専用指示情報は、第1のユーザ機器に、専用指示情報に従って、第3の伝送キャリア周波数で第1のユーザ機器によって送信される第2の同期信号として、同期制御情報に含まれる専用同期信号アイデンティティに対応する同期信号を使用するように命令する、開始指示情報であり得る。
【０１９５】
専用指示情報は、第1のユーザ機器に、第3の伝送キャリア周波数で第1のユーザ機器によって送信される第2の同期信号として、同期信号アイデンティティに対応する同期信号を使用するように命令する、同期信号アイデンティティであり得る。
【０１９６】
図10に示す実施形態における同期信号の送信を始動するプロセスと比較すると、本実施形態には、第1の同期ソースが送信した第1の同期信号を探索および検出した後、同期信号の送信を開始すると判定された場合、第1のユーザ機器は、取得した第1の同期信号のアイデンティティと、取得した第1の同期ソースの信号品質と、を第1のサービングセルに送信し、第1のサービングセルは、第3の伝送キャリア周波数で第1のユーザ機器が送信した第2の同期信号を判定し、専用指示情報を使用して第1のユーザ機器に通知し、専用指示情報は、第1のユーザ機器を始動して、専用指示情報を使用して第2の同期信号を判定させ、第3の伝送キャリア周波数で第2の同期信号を送信させる、という違いがある。
【０１９７】
本発明の本実施形態で提供されるD2D同期方法によれば、サービングセルは、ユーザ機器に同期制御情報を送信し、ユーザ機器が同期信号の送信を開始すると判定した場合、サービングセルは、ユーザ機器が送信した第1の同期信号のアイデンティティおよび第1の同期ソースの信号品質に従って、ユーザ機器に専用指示情報を送信し、ユーザ機器は、専用指示情報の指示に従って、サービングセルのキャリア周波数の周波数とは異なる周波数の専用伝送キャリア周波数で第2の同期信号を送信して、専用伝送キャリア周波数の任意の近隣のユーザ機器を制御して、ユーザ機器が送信した同期信号に従って同期を行う。
【０１９８】
以下、図12〜図18を参照して、本発明の実施形態で提供されるユーザ機器およびサービングセルについて詳細に説明する。
【０１９９】
図12は、本発明の一実施形態によるユーザ機器の概略的な構成図である。ユーザ機器1000は、取得ユニット11と、判定ユニット12と、送信ユニット13と、を備える。
【０２００】
取得ユニット11は、サービングセルの同期制御情報を取得するように構成される。
【０２０１】
ユーザ機器が専用伝送キャリア周波数でD2D通信を行う必要がある場合、ユーザ機器は、D2D同期を行う必要がまずあり、ユーザ機器のサービングセルは、専用伝送キャリア周波数でユーザ機器によって行われる同期動作を制御する必要がある。本実施形態では、ユーザ機器UE1のサービングセルAは、UE1に同期制御情報を送信し、UE1は、サービングセルAの同期制御情報を受信する。同期制御情報は、ユーザ機器に、専用伝送キャリア周波数で同期動作をどのように行うかを示すために使用される。UE1は第1のユーザ機器として使用され、サービングセルAはUE1のサービングセルとして使用され、サービングセルAは第1の伝送キャリア周波数に配置され、専用伝送キャリア周波数は第3の伝送キャリア周波数であり、第3の伝送キャリア周波数の周波数は第1の伝送キャリア周波数の周波数とは異なる。
【０２０２】
サービングセルAがUE1に送信した同期制御情報は、専用同期信号アイデンティティと、第1の予め設定された閾値と、を含む。本実施形態では、UE1は、予め構成された情報を使用することによって、サービングセルAが送信したシステムブロードキャスト情報を受信することによって、またはサービングセルAが送信した無線リソース制御専用シグナリングを受信することによって、同期制御情報を取得する。
【０２０３】
取得ユニット11は、第2の伝送キャリア周波数を探索することによって得られた第1の同期ソースが送信した第1の同期信号のアイデンティティと、第1の同期ソースの信号品質と、を取得するようにさらに構成される。
【０２０４】
UE1は、判定された第2の伝送キャリア周波数で同期信号を探索する。
【０２０５】
第2の伝送キャリア周波数は、同期ソースが存在し得る伝送キャリア周波数であり、同期ソースは、周囲にある端末が第3の伝送キャリア周波数でD2D通信を行うための同期基準を提供し得る。本実施形態は、第2の伝送キャリア周波数の周波数に関する情報を取得するための方法を限定するものではない。場合により、UE1は、予め構成された情報を使用することによって、サービングセルAが送信したシステムブロードキャスト情報を受信することによって、またはサービングセルAが送信したRRC専用シグナリングを受信することによって、第2の伝送キャリア周波数の周波数に関する情報を取得し得る。第2の伝送キャリア周波数の周波数は、第3の伝送キャリア周波数の周波数と同じであっても異なってもよい。
【０２０６】
第2の伝送キャリア周波数を探索することによってUE1が得た同期ソースを第1の同期ソースと呼び、同期ソースが送信した同期信号を第1の同期信号と呼ぶ。UE1は、第1の同期ソースが送信した第1の同期信号を取得し、第1の同期ソースの信号品質を測定により取得する。具体的な探索方法および信号測定方法は、既存の同期ソース探索方式および信号測定方式と同じであり、ここでは細部を説明しない。
【０２０７】
判定ユニット12は、取得ユニットが取得した第1の同期信号のアイデンティティ、第1の同期ソースの信号品質、および同期制御情報に従って、同期信号の送信を開始するか否かを判定するように構成される。
【０２０８】
UE1は、探索することによって取得した第1の同期ソースの第1の同期信号に対応するアイデンティティが同期制御情報に含まれる専用同期信号アイデンティティと同じであるか否かを比較し、探索することによって取得した第1の同期ソースの信号品質を、同期制御情報に含まれる第1の予め設定された閾値と比較して、同期信号の送信を開始するか否かを判定する。
【０２０９】
一般的に、第2の伝送キャリア周波数を探索することによってUE1が得た第1の同期ソースが、UE1の周囲にあるユーザ機器が第3の伝送キャリア周波数でD2D通信を行うための同期基準を提供できない場合、UE1は、同期信号の送信の開始を始動する。
【０２１０】
送信ユニット13は、判定ユニットが同期信号の送信を開始すると判定した場合、第3の伝送キャリア周波数で第2の同期信号を送信するように構成され、第2の同期信号は、第3の伝送キャリア周波数で、少なくとも1つの第2のユーザ機器に、第2の同期信号に従って同期を行うように命令するために使用される。
【０２１１】
本発明の本実施形態で提供されるユーザ機器によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器は、サービングセルのキャリア周波数の周波数とは異なる周波数である、第3の伝送キャリア周波数で第2の同期信号を送信し、第2の同期信号は、第3の伝送キャリア周波数で、任意の近隣のユーザ機器に、ユーザ機器が送信した同期信号に従って同期を行うように命令するために使用され、その結果、マルチキャリア周波数伝送シナリオにおける異なるユーザ機器間における同期の問題を解決できる。
【０２１２】
図13は、本発明の一実施形態による別のユーザ機器の概略的な構成図である。ユーザ機器2000は、取得ユニット21と、判定ユニット22と、送信ユニット23と、同期ユニット24と、を備える。
【０２１３】
取得ユニット21は、サービングセルの同期制御情報を取得する。
【０２１４】
専用伝送キャリア周波数、つまり第3の伝送キャリア周波数でD2D通信を行うユーザ機器は、サービングセルAのネットワークカバレッジ内に配置されてもよいし、サービングセルAのネットワークカバレッジエッジ上またはサービングセルAのネットワークカバレッジ外に配置されてもよいし、サービングセルBおよびCに属し、サービングセルBおよびCのネットワークカバレッジ内に配置されてもよいし、サービングセルBおよびCのネットワークカバレッジエッジ上またはサービングセルBおよびCのネットワークカバレッジ外に配置されてもよい。サービングセルAは第1のユーザ機器UE1のサービングセルとして使用され、かつ第1の伝送キャリア周波数に配置され、第1の伝送キャリア周波数の周波数は第3の伝送キャリア周波数の周波数とは異なる。
【０２１５】
UE1は、第1のユーザ機器として、サービングセルAが送信した同期制御情報を受信し、同期制御情報は、専用同期信号アイデンティティと、第1の予め設定された閾値および／または第2の予め設定された閾値と、を含む。
【０２１６】
場合により、専用同期信号アイデンティティは、サイドリンク同期信号アイデンティティであり得、専用同期信号アイデンティティに対応する同期信号は、サイドリンク同期信号であり得る。サイドリンク同期信号は、主サイドリンク同期信号と副サイドリンク同期信号とを含む。
【０２１７】
場合により、専用同期信号アイデンティティはまた、物理セルアイデンティティ、伝送キャリア周波数アイデンティティ、または地上波公共移動通信ネットワークアイデンティティであってもよい。
【０２１８】
場合により、専用同期信号アイデンティティが、物理セルアイデンティティPCI、伝送キャリア周波数アイデンティティ、またはPLMNアイデンティティである場合、同期制御情報は、専用同期信号アイデンティティに対応するサイドリンク同期信号アイデンティティをさらに含み得る。
【０２１９】
場合により、同期制御情報は、第3の予め設定された閾値をさらに含む。
【０２２０】
取得ユニット21は、第2の伝送キャリア周波数を探索することによって得られた第1の同期ソースが送信した第1の同期信号のアイデンティティと、第1の同期ソースの信号品質と、を取得するようにさらに構成される。
【０２２１】
第2の伝送キャリア周波数は、同期ソースが存在し得るキャリア周波数であり、同期ソースは、周囲にあるユーザ機器が第3の伝送キャリア周波数でD2D通信を行うための同期基準を提供し得る。本実施形態は、第2の伝送キャリア周波数の周波数に関する情報をUEが取得するための方法を限定するものではない。場合により、UEは、第3の取得ユニット（図示せず）をさらに備えることができ、第3の取得ユニットは、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得して、第1のユーザ機器に、第2の伝送キャリア周波数で同期信号を探索するように命令するように構成される。
【０２２２】
第2の伝送キャリア周波数を探索することによってUE1が得た同期ソースを第1の同期ソースと呼び、同期ソースが送信した同期信号を第1の同期信号と呼ぶ。UE1は、第1の同期ソースが送信した第1の同期信号を取得し、第1の同期ソースの信号品質を測定により取得する。具体的な探索方法および信号測定方法は、既存の同期ソース探索および信号測定方法と同じであり、ここでは細部を説明しない。
【０２２３】
判定ユニット22は、第1のユーザ機器によって、第1の同期信号のアイデンティティが専用同期信号アイデンティティと同じであり、かつ第1の同期ソースの信号品質が第1の予め設定された閾値未満である場合、または探索により同期信号が取得されない場合、または第1の同期信号のアイデンティティが専用同期信号アイデンティティとは異なり、かつ第1の同期ソースの信号品質が第2の予め設定された閾値よりも大きい場合、同期信号の送信を開始すると判定するように構成される。
【０２２４】
具体的には、第1の同期信号のアイデンティティ、第1の同期ソースの信号品質、および同期制御情報が以下の条件のいずれか1つを満足する場合、UE1は、同期信号の送信を開始すると判定する。条件には、以下を含む：
判定ユニット22は、第1の同期信号のアイデンティティが専用同期信号アイデンティティと同じであり、かつ第1の同期ソースの信号品質が第1の予め設定された閾値以下である場合、同期信号の送信を開始すると判定するように特に構成される、または
判定ユニット22は、探索により同期信号が取得されない場合、同期信号の送信を開始すると判定するようにさらに特に構成される、または
判定ユニット22は、第1の同期信号のアイデンティティが専用同期信号アイデンティティとは異なり、かつ第1の同期ソースの信号品質が第2の予め設定された閾値よりも大きい場合、同期信号の送信を開始すると判定するようにさらに特に構成される。
【０２２５】
場合により、同期制御情報が第3の予め設定された閾値をさらに含む場合、第1の同期信号のアイデンティティ、第1の同期ソースの信号品質、および同期制御情報が以下の条件のいずれか1つを満足する場合、UE1は、同期信号の送信を開始すると判定し得る。条件には、以下を含む：
判定ユニット22は、第1の同期信号のアイデンティティが専用同期信号アイデンティティと同じであり、かつ第1の同期ソースの信号品質が第1の予め設定された閾値以下であり、かつサービングセルAの信号品質が第3の予め設定された閾値以上である場合、同期信号の送信を開始すると判定するようにさらに特に構成される、または
判定ユニット22は、探索によりいかなる同期ソースの同期信号も取得されず、かつサービングセルAの信号品質が第3の予め設定された閾値以上である場合、同期信号の送信を開始すると判定するようにさらに特に構成される、または
判定ユニット22は、第1の同期信号のアイデンティティが専用同期信号アイデンティティとは異なり、かつ第1の同期ソースの信号品質が第2の予め設定された閾値よりも大きく、かつサービングセルAの信号品質が第3の予め設定された閾値以上である場合、同期信号の送信を開始すると判定するようにさらに特に構成される。
【０２２６】
送信ユニット23は、判定ユニットが同期信号の送信を開始すると判定した場合、第3の伝送キャリア周波数で第2の同期信号を送信するように構成され、第2の同期信号は、第3の伝送キャリア周波数で、少なくとも1つの第2のユーザ機器に、第2の同期信号に従って同期を行うように命令するために使用される。
【０２２７】
同期ユニット24は、専用同期信号アイデンティティに対応する同期信号を第2の同期信号として使用するように構成される。
【０２２８】
場合により、ユーザ機器は第1の同期ユニット（図示せず）をさらに備え、第1の同期ユニットは、専用同期信号アイデンティティが、SLSSIDである場合、第2の同期信号は、専用同期信号アイデンティティに対応するサイドリンク同期信号であると判定するように構成される。
【０２２９】
場合により、第1の同期ユニットは、専用同期信号アイデンティティが、PCI、伝送キャリア周波数アイデンティティ、またはPLMNアイデンティティである場合、第2の同期信号は、専用同期信号アイデンティティに対応するサイドリンク同期信号であると判定するようにさらに特に構成され、専用同期信号アイデンティティとサイドリンク同期信号との間の対応関係は、同期制御情報に含まれ得る。例えば、同期制御情報は、専用同期信号アイデンティティPCI1と、対応する専用サイドリンク同期信号アイデンティティSLSSID1と、を含み、UE1が、第2の伝送キャリア周波数で第1の同期信号がPCI1であることを検出した場合、同期信号を送信すると判定されたならば、UE1は、SLSSID1に対応するサイドリンク同期信号を第2の同期信号として使用し、第3の伝送キャリア周波数で第2の同期信号を送信する。
【０２３０】
場合により、代替的な方式では、
送信ユニットは、取得ユニットが取得した第1の同期信号のアイデンティティと第1の同期ソースの信号品質とをサービングセルに送信するようにさらに構成され、
受信ユニットは、サービングセルが送信した専用指示情報を受信するようにさらに構成され、
同期ユニットは、受信ユニットが受信した専用指示情報に従って、専用同期信号アイデンティティに対応する同期信号を第2の同期信号として使用するようにさらに構成される。
【０２３１】
つまり、サービングセルは、第1の同期信号のアイデンティティおよび第1の同期ソースの信号品質に従って、複数の第1の同期ソースから第1の同期ソースを判定する、または第1の同期ソースを選択し、第1のユーザ機器に、専用同期信号アイデンティティに対応する同期信号を第2の同期信号として使用するように命令する。
【０２３２】
専用指示情報は、開始指示情報であっても同期信号アイデンティティであってもよい。
【０２３３】
専用指示情報が開始指示情報である場合、第1のユーザ機器は、同期制御情報の専用同期信号アイデンティティに対応する同期信号を第2の同期信号として使用する。
【０２３４】
専用指示情報が同期信号アイデンティティである場合、専用指示情報に対応する同期信号を第2の同期信号として使用する。
【０２３５】
本実施形態では、サービングセルAの同期クロックまたは同期信号アイデンティティが専用同期信号アイデンティティである同期ソースの同期クロックに、UE1の同期クロックを合わせる必要があることに留意されたい。具体的なクロック同期方法は従来技術に属するものであり、ここでは細部を説明しない。
【０２３６】
本発明の本実施形態で提供されるユーザ機器によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、同期信号アイデンティティが専用同期信号アイデンティティと同じである同期ソースによって送信された同期信号が探索することによって得られたが、探索することによって得られた同期ソースの信号品質が予め設定された閾値以下である場合、またはいかなる同期ソースが送信した同期信号も探索することによって得られない、もしくは探索することによって得られた同期ソースの信号品質は予め設定された閾値よりも大きいが、同期ソースの同期信号アイデンティティは、専用同期信号アイデンティティとは異なる場合、同期信号の送信を開始すると判定し、同期信号の送信を開始すると判定した場合、専用同期信号アイデンティティに対応する同期信号を第2の同期信号として使用し、ユーザ機器は、サービングセルのキャリア周波数の周波数とは異なる周波数である、第3の伝送キャリア周波数で第2の同期信号を送信し、第2の同期信号は、第3の伝送キャリア周波数で、任意のユーザ機器に、ユーザ機器が送信した第2の同期信号に従って同期を行うように命令するために使用され、その結果、マルチキャリア周波数伝送シナリオにおける異なるユーザ機器間における同期の問題を解決できる。
【０２３７】
図13を参照すると、本発明の一実施形態で提供される別のユーザ機器の別の実施方式が提供される。
【０２３８】
取得ユニット21は、サービングセルの同期制御情報を取得するように構成される。
【０２３９】
サービングセルAは第1のユーザ機器UE1のサービングセルとして使用され、かつ第1の伝送キャリア周波数に配置され、サービングセルAは第1のユーザ機器UE1にネットワークサービスを提供する。第1の取得ユニット21は、サービングセルAが送信した同期制御情報を受信し、同期制御情報は、専用同期信号アイデンティティと、専用同期信号アイデンティティに対応する優先度と、第1の予め設定された閾値および／または第2の予め設定された閾値と、第1の予め設定された優先度と、を少なくとも含む。
【０２４０】
場合により、同期制御情報は、複数の専用同期信号アイデンティティを含むことができ、各専用同期信号アイデンティティは、1対1で対応する優先度と、対応する第1の予め設定された閾値と、を有する。
【０２４１】
場合により、専用同期信号アイデンティティはまた、サイドリンク同期信号アイデンティティSLSSID、物理セルアイデンティティPCI、伝送キャリア周波数アイデンティティ、または地上波公共移動通信ネットワークアイデンティティであり得る。
【０２４２】
場合により、専用同期信号アイデンティティが、物理セルアイデンティティPCI、伝送キャリア周波数アイデンティティ、またはPLMNアイデンティティである場合、同期制御情報は、専用同期信号アイデンティティに対応するサイドリンク同期信号アイデンティティをさらに含み得る。
【０２４３】
場合により、同期制御情報は、第3の予め設定された閾値をさらに含む。
【０２４４】
取得ユニット21は、第2の伝送キャリア周波数を探索することによって得られた第1の同期ソースが送信した第1の同期信号のアイデンティティと、第1の同期ソースの信号品質と、を取得するようにさらに構成される。
【０２４５】
取得ユニット21は、第2の伝送キャリア周波数で、第1の同期ソースが送信した第1の同期信号を探索および検出し、第1の同期信号のアイデンティティと、第1の同期ソースの信号品質と、を取得する。
【０２４６】
判定ユニット22は、第1のユーザ機器によって、第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第3の予め設定された閾値未満である場合、または第1の同期信号のアイデンティティが専用同期信号アイデンティティと同じであり、かつ専用同期信号アイデンティティに対応する優先度が第2の予め設定された優先度未満であり、かつ第1の同期ソースの信号品質が第4の予め設定された閾値よりも大きい場合、同期信号の送信を開始すると判定するように構成される。
【０２４７】
具体的には、以下の条件のうちのいずれか1つを満足した場合、判定ユニット22は、同期信号の送信を開始すると判定する。条件には、以下を含む：
判定ユニット22は、第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第1の予め設定された閾値未満である場合、同期信号の送信を開始すると判定するように特に構成される、または
判定ユニット22は、第1の同期信号のアイデンティティが専用同期信号アイデンティティと同じであり、かつ専用同期信号アイデンティティに対応する優先度が第1の予め設定された優先度未満であり、かつ第1の同期ソースの信号品質が第2の予め設定された閾値よりも大きい場合、同期信号の送信を開始すると判定するように特に構成される、または
判定ユニット22は、探索によりいかなる同期ソースの同期信号も取得されない場合、同期信号の送信を開始すると判定するように特に構成される。
【０２４８】
場合により、同期制御情報が第3の予め設定された閾値をさらに含む場合、第1の同期信号のアイデンティティ、第1の同期ソースの信号品質、および同期制御情報が以下の条件のいずれか1つを満足する場合、判定ユニット22は、同期信号の送信を開始すると判定し得る。条件には、以下を含む：
判定ユニット22は、第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第1の予め設定された閾値未満であり、かつサービングセルAの信号品質が第3の予め設定された閾値以上である場合、同期信号の送信を開始すると判定するように特に構成される、または
判定ユニット22は、第1の同期信号のアイデンティティが専用同期信号アイデンティティと同じであり、かつ専用同期信号アイデンティティに対応する優先度が第1の予め設定された優先度未満であり、かつ第1の同期ソースの信号品質が第2の予め設定された閾値以上であり、かつサービングセルAの信号品質が第3の予め設定された閾値以上である場合、同期信号の送信を開始すると判定するように特に構成される、または
判定ユニット22は、探索によりいかなる同期ソースの同期信号も取得されず、かつサービングセルAの信号品質が第3の予め設定された閾値以上である場合、同期信号の送信を開始すると判定するように特に構成される。
【０２４９】
送信ユニット23は、判定ユニットが同期信号の送信を開始すると判定した場合、第3の伝送キャリア周波数で第2の同期信号を送信するように構成され、第2の同期信号は、第3の伝送キャリア周波数で、少なくとも1つの第2のユーザ機器に、第2の同期信号に従って同期を行うように命令するために使用され、第3の伝送キャリア周波数の周波数は、第1の伝送キャリア周波数の周波数とは異なる。
【０２５０】
同期ユニット24は、専用同期信号アイデンティティに対応する同期信号を第2の同期信号として使用するように構成される、または
取得ユニット21は、第2のサイドリンク同期信号アイデンティティを取得するようにさらに構成され、
同期ユニット24は、取得ユニットが取得した第2のサイドリンク同期信号アイデンティティに対応する同期信号を第2の同期信号として使用するようにさらに構成され、第2のサイドリンク同期信号アイデンティティは、同期制御情報に含まれ、かつ専用同期信号アイデンティティに対応する。
【０２５１】
場合により、同期ユニット24は、専用同期信号アイデンティティが、SLSSIDである場合、第2の同期信号は、専用同期信号アイデンティティに対応するサイドリンク同期信号であると判定するようにさらに構成される。
【０２５２】
場合により、取得ユニット21は、第1のサイドリンク同期信号アイデンティティを取得するようにさらに構成され、
同期ユニット24は、専用同期信号アイデンティティが、PCI、伝送キャリア周波数アイデンティティ、またはPLMNアイデンティティである場合、第2の同期信号は、専用同期信号アイデンティティに対応するサイドリンク同期アイデンティティに対応するサイドリンク同期信号であり、専用同期信号アイデンティティに対応するサイドリンク同期信号アイデンティティは、同期制御情報に含まれ得ると判定するようにさらに構成される。例えば、同期制御情報は、専用同期信号アイデンティティPCI1と、対応する専用サイドリンク同期信号アイデンティティSLSSID1と、を含み、UE1が、第2の伝送キャリア周波数で第1の同期信号がPCI1であることを検出した場合、同期信号を送信すると判定されたならば、UE1は、SLSSID1に対応するサイドリンク同期信号を第2の同期信号として使用し、第3の伝送キャリア周波数で第2の同期信号を送信する。
【０２５３】
場合により、同期制御情報が、複数の専用同期信号アイデンティティを含み、UE1が、少なくとも1つの第2の伝送キャリア周波数で、同期信号の送信を開始する条件を満足する複数の第1の同期ソースを検出する場合、UE1は、第1の同期ソースの同期信号アイデンティティに対応する優先度が最も高い同期ソースを判定し、同期ソースに対応するサイドリンク同期信号を第2の同期信号として使用し得る。探索することによって得られた第1の同期信号のアイデンティティが専用同期信号アイデンティティと同じである場合、第1の同期信号は、専用同期信号アイデンティティに対応する優先度を同じ優先度を有し、従って、第1の同期ソースの優先度がわかる。
【０２５４】
別の代替的な方式では、
送信ユニットは、第2の取得ユニットが取得した第1の同期信号のアイデンティティと第1の同期ソースの信号品質とをサービングセルに送信するようにさらに構成され、
受信ユニットは、サービングセルが送信した専用指示情報を受信するようにさらに構成され、
同期ユニットは、受信ユニットが受信した専用指示情報に従って、専用同期信号アイデンティティに対応する同期信号を第2の同期信号として使用するようにさらに構成される。
【０２５５】
別の代替的な方式では、
送信ユニットは、第1の同期信号のアイデンティティと第1の同期ソースの信号品質とをサービングセルに送信するようにさらに構成され、
受信ユニットは、サービングセルが送信した専用指示情報を受信するようにさらに構成され、
同期ユニットは、受信ユニットが受信した専用指示情報に従って、専用同期信号アイデンティティに対応する同期信号を第2の同期信号として使用するようにさらに構成される。
【０２５６】
つまり、サービングセルは、第1の同期信号のアイデンティティおよび第1の同期ソースの信号品質に従って、複数の第1の同期ソースから第1の同期ソースを判定する、または第1の同期ソースを選択し、第1のユーザ機器に、専用同期信号アイデンティティに対応する同期信号を第2の同期信号として使用するように命令する。
【０２５７】
専用指示情報は、開始指示情報であっても同期信号アイデンティティであってもよい。
【０２５８】
専用指示情報が開始指示情報である場合、第1のユーザ機器は、同期制御情報の専用同期信号アイデンティティに対応する同期信号を第2の同期信号として使用する。
【０２５９】
専用指示情報が同期信号アイデンティティである場合、専用指示情報に対応する同期信号を第2の同期信号として使用する。
【０２６０】
第3の伝送キャリア周波数の別のUEは、UEのサービングセルが送信した同期ソース検出制御情報に従って、指定された伝送キャリア周波数で同期ソースを探索し、探索することによって得られた同期ソースの同期信号アイデンティティが専用同期信号アイデンティティと同じであり、かつ同期ソースの信号品質が予め設定された信号品質閾値よりも大きい場合、同期ソースが候補同期ソースであると判定し、複数の候補同期ソースが判定された場合、複数の候補同期ソースにおいて、同期信号アイデンティティに対応する優先度が最も高い同期ソースが第3の伝送キャリア周波数でD2D通信を行う同期ソースであると判定する。
【０２６１】
本発明の本実施形態で提供されるユーザ機器によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器は、サービングセルのキャリア周波数の周波数とは異なる周波数である、第3の伝送キャリア周波数で第2の同期信号を送信し、第2の同期信号は、第3の伝送キャリア周波数で、任意のユーザ機器に、優先度が最も高く、信号品質が同期を行う条件を満足する同期信号を選択するように命令するために使用され、その結果、マルチキャリア周波数伝送シナリオにおける異なるユーザ機器間における同期の問題を解決できる。
【０２６２】
図14は、本発明の一実施形態によるさらに別のユーザ機器の概略的な構成図である。ユーザ機器3000は、取得ユニット31と判定ユニット32とを備える。
【０２６３】
取得ユニット31は、サービングセルの同期ソース検出制御情報を取得するように構成され、サービングセルは、第1の伝送キャリア周波数に配置される。
【０２６４】
ユーザ機器が専用伝送キャリア周波数、つまり、第3の伝送キャリア周波数でD2D通信を行う必要がある場合、ユーザ機器は、D2D同期を行う必要がまずあり、ユーザ機器のサービングセルは、専用伝送キャリア周波数でユーザ機器によって行われる同期動作を制御する必要がある。本実施形態では、ユーザ機器UE2のサービングセルBは、UE2に同期ソース検出制御情報を送信し、UE2は、サービングセルBの同期ソース検出制御情報を受信する。同期ソース検出制御情報は、専用伝送キャリア周波数でD2D通信を行うことを選ぶ同期ソースが満足する必要がある条件を示すために使用される。本実施形態では、UE2はユーザ機器として使用され、サービングセルBはユーザ機器UE2のサービングセルとして使用され、サービングセルBは第1の伝送キャリア周波数に配置され、専用伝送キャリア周波数は第3の伝送キャリア周波数であり、第3の伝送キャリア周波数の周波数は第1の伝送キャリア周波数の周波数とは異なる。
【０２６５】
サービングセルBがUE2に送信した同期ソース検出制御情報は、専用同期信号アイデンティティと、第1の予め設定された閾値と、を含む。本実施形態では、取得ユニット31は、予め構成された情報を使用することによって、サービングセルBが送信したシステムブロードキャスト情報を受信することによって、またはサービングセルBが送信したRRC専用シグナリングを受信することによって、同期ソース検出制御情報を取得するようにさらに構成される。
【０２６６】
取得ユニット31は、第2の伝送キャリア周波数を探索することによって得られた第1の同期ソースが送信した第1の同期信号のアイデンティティと、第1の同期ソースの信号品質と、を取得するようにさらに構成される。
【０２６７】
判定ユニット32は、取得ユニットが取得した第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するように構成され、第3の伝送キャリア周波数の周波数は、第1の伝送キャリア周波数の周波数とは異なる。
【０２６８】
UE2は、判定された第2の伝送キャリア周波数で同期信号を探索する。
【０２６９】
第2の伝送キャリア周波数は、同期ソースが存在し得る伝送キャリア周波数であり、同期ソースは、周囲にある端末が第3の伝送キャリア周波数でD2D通信を行うための同期基準を提供し得る。本実施形態は、第2の伝送キャリア周波数の周波数に関する情報を取得するための方法を限定するものではない。場合により、取得ユニット31は、予め構成された情報を使用することによって、サービングセルBが送信したシステムブロードキャスト情報を受信することによって、またはサービングセルBが送信したRRC専用シグナリングを受信することによって、第2の伝送キャリア周波数の周波数に関する情報を取得するようにさらに構成される。第2の伝送キャリア周波数の周波数は、第3の伝送キャリア周波数の周波数と同じであっても異なってもよい。
【０２７０】
第2の伝送キャリア周波数を探索することによってUE2が得た同期ソースを第1の同期ソースと呼び、同期ソースが送信した同期信号を第1の同期信号と呼ぶ。UE2は、第1の同期ソースが送信した第1の同期信号を取得し、第1の同期ソースの信号品質を測定により取得する。具体的な探索方法および信号測定方法は、既存の同期ソース探索方式および信号測定方式と同じであり、ここでは細部を説明しない。
【０２７１】
UE2は、第1の同期信号のアイデンティティが同期ソース検出制御情報の専用信号アイデンティティと同じであるか否かと、第1の同期ソースの信号品質が同期ソース検出制御情報の第1の予め設定された閾値よりも大きいか否かと、を比較して、第3の伝送キャリア周波数でD2D通信を行う同期ソースとして第1の同期ソースを使用できるか否かを判定する。
【０２７２】
本発明の本実施形態で提供されるユーザ機器によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期ソース検出制御情報に従って、サービングセルのキャリア周波数の周波数とは異なる第3の伝送キャリア周波数でD2D通信を行う同期ソースとして第1の同期ソースを使用するか否かを判定して、判定された同期ソースに従ってD2D通信を行う。
【０２７３】
図14を参照すると、本発明の一実施形態で提供されるさらに別のユーザ機器の具体的な実施方式が説明される。
【０２７４】
取得ユニット31は、サービングセルの同期ソース検出制御情報を取得する。
【０２７５】
UE2は、本実施形態におけるユーザ機器として、サービングセルBが送信した同期ソース検出制御情報を受信する。サービングセルBは、ユーザ機器UE2のサービングセルとして使用され、同期ソース検出制御情報は、専用同期信号アイデンティティと第1の予め設定された閾値とを含む。
【０２７６】
場合により、専用同期信号アイデンティティは、SLSSIDであり得、専用同期信号アイデンティティに対応する同期信号は、SLSSであり得る。サイドリンク同期信号は、PSSSとSSSSとを含む。
【０２７７】
場合により、専用同期信号アイデンティティは、PCI、伝送キャリア周波数アイデンティティ、またはPLMNアイデンティティであってもよい。
【０２７８】
取得ユニット31は、第2の伝送キャリア周波数を探索することによって得られた第1の同期ソースが送信した第1の同期信号のアイデンティティと、第1の同期ソースの信号品質と、を取得するようにさらに構成される。
【０２７９】
第2の伝送キャリア周波数は、同期ソースが存在し得るキャリア周波数であり、同期ソースは、周囲にあるユーザ機器が第3の伝送キャリア周波数でD2D通信を行うための同期基準を提供し得る。
【０２８０】
本実施形態は、第2の伝送キャリア周波数の周波数に関する情報をUEが取得するための方法を限定するものではない。場合により、取得ユニット31は、予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得して、ユーザ機器に、第2の伝送キャリア周波数で同期信号を探索するように命令するようにさらに構成される。
【０２８１】
第2の伝送キャリア周波数を探索することによってUE2が得た同期ソースを第1の同期ソースと呼び、UE2は、第1の同期ソースが送信した第1の同期信号を取得し、第1の同期ソースの信号品質を測定により取得する。具体的な探索方法および信号測定方法は、既存の同期ソース探索および信号測定方法と同じであり、ここでは細部を説明しない。
【０２８２】
判定ユニット32は、取得ユニットが取得した第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するように構成され、第3の伝送キャリア周波数の周波数は、第1の伝送キャリア周波数の周波数とは異なる。
【０２８３】
第1の判定ユニット32は、探索によって得られた第1の同期信号のアイデンティティが専用同期信号アイデンティティと同じであり、かつ第1の同期ソースの信号品質が予め設定された閾値よりも大きい場合、第3の伝送キャリア周波数でD2D通信を行う同期ソースとして第1の同期ソースを使用すると判定するように特に構成される。第4の伝送キャリア周波数の周波数は、第3の伝送キャリア周波数の周波数とは異なる。
【０２８４】
本発明の本実施形態で提供されるユーザ機器によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティが専用同期信号アイデンティティと同じであり、かつ第1の同期ソースの信号品質が第1の予め設定された閾値よりも大きい場合、サービングセルのキャリア周波数の周波数とは異なる第3の伝送キャリア周波数でD2D通信を行う同期ソースとして第1の同期ソースを使用すると判定して、判定された同期ソースに従ってD2D通信を行う。
【０２８５】
図14を参照すると、本発明の一実施形態で提供されるさらに別のユーザ機器の別の具体的な実施方式が説明される。
【０２８６】
取得ユニット31は、サービングセルの同期ソース検出制御情報を取得するように構成され、第2のサービングセルは、第1の伝送キャリア周波数に配置される。
【０２８７】
サービングセルBはユーザ機器UE2のサービングセルとして使用され、かつ第1の伝送キャリア周波数に配置され、サービングセルBは第2のユーザ機器UE2にネットワークサービスを提供する。UE2は、サービングセルBが送信した同期ソース検出制御情報を受信し、同期ソース検出制御情報は、専用同期信号アイデンティティと、専用同期信号アイデンティティに対応する優先度と、第2の予め設定された閾値と、を含む。
【０２８８】
場合により、同期ソース検出制御情報は、複数の専用同期信号アイデンティティを含むことができ、各専用同期信号アイデンティティは、1対1で対応する優先度と、対応する第2の予め設定された閾値と、を有する。
【０２８９】
場合により、専用同期信号アイデンティティは、SLSSID、PCI、伝送キャリア周波数アイデンティティ、またはPLMNアイデンティティであってもよい。
【０２９０】
場合により、ユーザ機器は、第4の取得ユニットを備えてもよく、第4の取得ユニットは、予め構成された情報を使用することによって、第2のサービングセルがブロードキャストしたシステム情報を受信することによって、または第2のサービングセルが送信したRRC専用制御シグナリングを受信することによって、同期ソース検出制御情報を取得するように構成される。
【０２９１】
取得ユニット31は、第2の伝送キャリア周波数を探索することによって得られた第1の同期ソースが送信した第1の同期信号のアイデンティティと、第1の同期ソースの信号品質と、を取得するようにさらに構成される。
【０２９２】
判定ユニット32は、第1の同期信号のアイデンティティが専用同期信号アイデンティティと同じであり、かつ第1の同期ソースの信号品質が第2の予め設定された閾値よりも大きい場合、第1の同期ソースが候補同期ソースであると判定するように構成される。
【０２９３】
上述のように、同期ソース検出制御情報は、複数の専用同期信号アイデンティティを含むことができ、各専用同期信号アイデンティティは、1対1で対応する優先度と、対応する第2の予め設定された閾値と、を有する。複数の第1の同期信号が探索することによって得られ、かつ第1の同期信号のアイデンティティが専用同期信号アイデンティティとそれぞれ同じであり、かつ第1の同期ソースの信号品質が対応する第2の予め設定された閾値よりも大きい場合、第1の同期ソースが候補同期ソースであると判定されて、複数の同期ソースを判定する。
【０２９４】
判定ユニット32は、少なくとも1つの候補同期ソースが判定された場合、少なくとも1つの候補同期ソースにおける、専用同期信号アイデンティティに対応する優先度が最も高い同期ソースが、第3の伝送キャリア周波数でD2D通信を行う同期ソースであると判定するようにさらに構成される。
【０２９５】
第3の伝送キャリア周波数でD2D通信を行う同期ソースが最終的に判定された場合、複数の候補同期ソースにおける、専用同期信号アイデンティティに対応する優先度が最も高い同期ソースが、第3の伝送キャリア周波数でD2D通信を行う同期ソースであると判定される。第4の伝送キャリア周波数の周波数は、第3の伝送キャリア周波数の周波数とは異なる。
【０２９６】
本発明の本実施形態で提供されるユーザ機器によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティが専用同期信号アイデンティティと同じであり、かつ第1の同期ソースの信号品質が第2の予め設定された閾値よりも大きい場合、第1の同期ソースが候補同期ソースであると判定し、少なくとも1つの候補同期ソースにおいて、専用同期信号アイデンティティに対応する優先度が最も高い同期ソースが、サービングセルのキャリア周波数の周波数とは異なる第3の伝送キャリア周波数でD2D通信を行う同期ソースであると判定して、判定された同期ソースに従ってD2D通信を行う。
【０２９７】
図15は、本発明の一実施形態によるサービングセルの概略的な構成図である。サービングセル4000は、
第1のユーザ機器に同期制御情報を送信するように構成された送信ユニット41であって、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、かつ第1の同期信号のアイデンティティおよび第1の同期ソースの信号品質に従って、第3の伝送キャリア周波数で第2の同期信号を送信するか否かを判定するように命令するために使用され、サービングセルは、第1の伝送キャリア周波数に配置され、第1の伝送キャリア周波数の周波数は、第3の伝送キャリア周波数の周波数とは異なる、送信ユニット41
を備える。
【０２９８】
ユーザ機器が専用伝送キャリア周波数でD2D通信を行う必要がある場合、ユーザ機器のサービングセルは、専用伝送キャリア周波数でユーザ機器によって行われる同期動作を制御する必要がある。本実施形態では、ユーザ機器UE1のサービングセルAは、UE1に同期制御情報を送信し、UE1は、サービングセルAの同期制御情報を受信する。同期制御情報は、ユーザ機器に、専用伝送キャリア周波数で同期動作をどのように行うかを示すために使用される。UE1は第1のユーザ機器として使用され、サービングセルAはUE1のサービングセルとして使用され、サービングセルAは第1の伝送キャリア周波数に配置され、専用伝送キャリア周波数は第3の伝送キャリア周波数であり、第3の伝送キャリア周波数の周波数は第1の伝送キャリア周波数の周波数とは異なる。
【０２９９】
サービングセルAがUE1に送信した同期制御情報は、専用同期信号アイデンティティと、第1の予め設定された閾値と、を含む。本実施形態では、UE1は、予め構成された情報を使用することによって、サービングセルAが送信したシステムブロードキャスト情報を受信することによって、またはサービングセルAが送信したRRC専用シグナリングを受信することによって、同期制御情報を取得する。
【０３００】
UE1は、判定された第2の伝送キャリア周波数で同期信号を探索する。
【０３０１】
第2の伝送キャリア周波数は、同期ソースが存在し得る伝送キャリア周波数であり、同期ソースは、周囲にある端末が第3の伝送キャリア周波数でD2D通信を行うための同期基準を提供し得る。本実施形態は、第2の伝送キャリア周波数を取得するための方法を限定するものではない。場合により、UE1は、予め構成された情報を使用することによって、サービングセルAが送信したシステムブロードキャスト情報を受信することによって、またはサービングセルAが送信したRRC専用シグナリングを受信することによって、第2の伝送キャリア周波数の周波数を取得し得る。第2の伝送キャリア周波数の周波数は、第3の伝送キャリア周波数の周波数と同じであっても異なってもよい。探索することによってUE1が得た同期ソースを第1の同期ソースと呼び、同期ソースが送信した同期信号を第1の同期信号と呼ぶ。
【０３０２】
UE1は、探索することによって取得した第1の同期ソースの第1の同期信号に対応するアイデンティティが同期制御情報に含まれる専用同期信号アイデンティティと同じであるか否かを比較し、探索することによって取得した第1の同期ソースの信号品質を、同期制御情報に含まれる第1の予め設定された閾値と比較して、同期信号の送信を開始するか否かを判定する。
【０３０３】
一般的に、第2の伝送キャリア周波数を探索することによってUE1が得た第1の同期ソースが、UE1の周囲にあるユーザ機器が第3の伝送キャリア周波数でD2D通信を行うための同期基準を提供できない場合、UE1は、同期信号の送信の開始を始動する。UE1は、第3の伝送キャリア周波数で同期信号を送信し、同期制御情報における専用同期信号アイデンティティが同期信号のアイデンティティとして使用される。
【０３０４】
送信ユニット41は、第2のユーザ機器に同期ソース検出制御情報を送信するようにさらに構成され、同期ソース検出制御情報は、第2のユーザ機器に、第4の伝送キャリア周波数を探索することによって得られた第2の同期ソースが送信した第3の同期信号のアイデンティティと、第3の同期ソースの信号品質と、を取得し、かつ第3の同期信号のアイデンティティおよび第3の同期ソースの信号品質に従って、第5の伝送キャリア周波数でD2D通信を行う同期ソースとして第2の同期ソースを使用するか否かを判定するように命令するために使用され、第5の伝送キャリア周波数の周波数は、第1の伝送キャリア周波数の周波数とは異なる。
【０３０５】
サービングセルのユーザ機器が第5の伝送キャリア周波数でD2D通信を行う場合、ユーザ機器は、第5の伝送キャリア周波数でD2D通信を行う同期ソースを判定する必要がさらにある。
【０３０６】
本実施形態では、ユーザ機器UE2のサービングセルAは、UE2に同期ソース検出制御情報を送信し、UE2は、サービングセルAの同期ソース検出制御情報を受信する。同期ソース検出制御情報は、専用伝送キャリア周波数でD2D通信を行う同期ソースが満足する必要がある条件を示すために使用される。UE2は第2のユーザ機器として使用され、サービングセルAはUE2のサービングセルとして使用され、サービングセルAは第1の伝送キャリア周波数に配置され、専用伝送キャリア周波数は第5の伝送キャリア周波数であり、第5の伝送キャリア周波数の周波数は第1の伝送キャリア周波数の周波数とは異なる。
【０３０７】
サービングセルAがUE2に送信した同期ソース検出制御情報は、専用同期信号アイデンティティと、第3の伝送キャリア周波数でD2D通信を行う同期ソースの信号品質の予め設定された閾値と、を含む。本実施形態では、UE2は、予め構成された情報を使用することによって、サービングセルAが送信したシステムブロードキャスト情報を受信することによって、またはサービングセルAが送信したRRC専用シグナリングを受信することによって、同期ソース検出制御情報を取得する。
【０３０８】
UE2は、判定された第4の伝送キャリア周波数で同期信号を探索する。
【０３０９】
第4の伝送キャリア周波数は、同期ソースが存在し得る伝送キャリア周波数であり、同期ソースは、周囲にある端末が第5の伝送キャリア周波数でD2D通信を行うための同期基準を提供し得る。本実施形態は、第4の伝送キャリア周波数を取得するための方法を限定するものではない。場合により、UE2は、予め構成された情報を使用することによって、サービングセルAが送信したシステムブロードキャスト情報を受信することによって、またはサービングセルAが送信したRRC専用シグナリングを受信することによって、第4の伝送キャリア周波数の周波数を取得し得る。第4の伝送キャリア周波数の周波数は、第5の伝送キャリア周波数の周波数と同じであっても異なってもよい。
【０３１０】
第4の伝送キャリア周波数を探索することによってUE2が得た同期ソースを第3の同期ソースと呼び、同期ソースが送信した同期信号を第3の同期信号と呼ぶ。
【０３１１】
UE2は、第3の同期信号のアイデンティティが同期ソース検出制御情報の専用信号アイデンティティと同じであるか否かと、第3の同期ソースの信号品質が同期ソース検出制御情報の予め設定された閾値よりも大きいか否かと、を比較して、第5の伝送キャリア周波数でD2D通信を行う同期ソースとして第3の同期ソースを使用できるか否かを判定する。
【０３１２】
本発明の本実施形態で提供されるサービングセルによれば、ユーザ機器は、探索することによって得られた同期信号のアイデンティティ、同期ソースの信号品質、およびサービングセルの同期制御情報に従って、同期信号の送信を開始するか否かを判定してもよく、同期信号の送信を開始すると判定された場合、ユーザ機器は、サービングセルのキャリア周波数の周波数とは異なる周波数の専用伝送キャリア周波数で第2の同期信号を送信して、専用伝送キャリア周波数で任意の近隣のユーザ機器を制御して、ユーザ機器が送信した同期信号に従って同期を行い、ユーザ機器は、探索することによって得られた同期信号のアイデンティティ、同期ソースの信号品質、およびサービングセルの同期ソース検出制御情報に従って、サービングセルのキャリア周波数の周波数とは異なる周波数の専用伝送キャリア周波数でD2D通信を行う同期ソースとして、探索することによって得られた同期ソースを使用するか否かを判定して、判定された同期ソースに従ってD2D通信を行う。
【０３１３】
図16は、本発明の一実施形態による別のサービングセルの概略的な構成図である。サービングセル5000は、
第1のユーザ機器に同期制御情報を送信するように構成された送信ユニット51であって、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、第1の同期信号のアイデンティティおよび第1の同期ソースの信号品質に従って、同期信号を送信する必要があると判定された場合、サービングセルに第1の同期信号のアイデンティティおよび第1の同期ソースの信号品質を送信する、送信ユニット51と、
第1のユーザ機器が送信した第1の同期信号のアイデンティティと第1の同期ソースの信号品質とを受信するように構成された受信ユニット52と、
を備え、
送信ユニット51は、受信ユニットが受信した第1の同期信号のアイデンティティおよび第1の同期ソースの信号品質に従って、第1のユーザ機器に専用指示情報を送信するようにさらに構成され、同期制御情報は、第1のユーザ機器に、専用指示情報に従って第2の同期信号を判定するように命令するために使用される。
【０３１４】
具体的には、専用指示情報は、第1のユーザ機器に、専用指示情報に従って、第3の伝送キャリア周波数で第1のユーザ機器によって送信される第2の同期信号として、同期制御情報に含まれる専用同期信号アイデンティティに対応する同期信号を使用するように命令する、開始指示情報であり得る。
【０３１５】
専用指示情報は、第1のユーザ機器に、第3の伝送キャリア周波数で第1のユーザ機器によって送信される第2の同期信号として、同期信号アイデンティティに対応する同期信号を使用するように命令する、同期信号アイデンティティであり得る。
【０３１６】
図15に示す実施形態における同期信号送信の始動と比較すると、本実施形態には、第1の同期ソースが送信した第1の同期信号を探索および検出した後、同期信号の送信を開始すると判定された場合、第1のユーザ機器は、取得した第1の同期信号のアイデンティティと、取得した第1の同期ソースの信号品質と、を第1のサービングセルに送信し、第1のサービングセルは、第3の伝送キャリア周波数で第1のユーザ機器が送信した第2の同期信号を判定し、専用指示情報を使用して第1のユーザ機器に通知し、専用指示情報は、第1のユーザ機器を始動して、専用指示情報を使用して第2の同期信号を判定させ、第3の伝送キャリア周波数で第2の同期信号を送信させる、という違いがある。
【０３１７】
本発明の本実施形態で提供されるサービングセルによれば、サービングセルは、ユーザ機器に同期制御情報を送信し、ユーザ機器が同期信号の送信を開始すると判定した場合、サービングセルは、ユーザ機器が送信した第1の同期信号のアイデンティティおよび第1の同期ソースの信号品質に従って、ユーザ機器に専用指示情報を送信し、ユーザ機器は、専用指示情報の指示に従って、サービングセルのキャリア周波数の周波数とは異なる周波数の専用伝送キャリア周波数で第2の同期信号を送信して、専用伝送キャリア周波数の任意の近隣のユーザ機器を制御して、ユーザ機器が送信した同期信号に従って同期を行う。
【０３１８】
図17は、本発明の一実施形態によるさらに別のユーザ機器の概略的な構成図である。ユーザ機器6000は、入力装置61と、出力装置62と、メモリ63と、プロセッサ64（ユーザ機器には1つ以上のプロセッサ64が存在してもよく、図17では1つのプロセッサが存在する例を用いる）と、を備える。本発明の一部の実施形態では、入力装置61、出力装置62、メモリ63、およびプロセッサ64は、バスまたは別の方式を用いて接続されてもよく、図17では、バスを使用して接続を実装した例を用いている。
【０３１９】
プロセッサ64は、以下のステップ、すなわち、
サービングセルの同期制御情報を取得するステップであって、サービングセルは、第1の伝送キャリア周波数に配置される、ステップと、
第2の伝送キャリア周波数を探索することによって得られた第1の同期ソースが送信した第1の同期信号のアイデンティティと、第1の同期ソースの信号品質と、を取得するステップと、
第1の同期信号のアイデンティティ、第1の同期ソースの信号品質、および同期制御情報に従って、同期信号の送信を開始するか否かを判定するステップと、
同期信号の送信を開始すると判定された場合、第3の伝送キャリア周波数で第2の同期信号を送信するステップであって、第2の同期信号は、第3の伝送キャリア周波数で、少なくとも1つの第2のユーザ機器に、第2の同期信号に従って同期を行うように命令するために使用され、第3の伝送キャリア周波数の周波数は、第1の伝送キャリア周波数の周波数とは異なる、ステップと、
を行うように構成される。
【０３２０】
一実施方式では、プロセッサによって、第2の伝送キャリア周波数を探索することによって得られた第1の同期ソースが送信した第1の同期信号のアイデンティティと、第1の同期ソースの信号品質と、を取得するステップを行うステップの前に、プロセッサは、以下のステップ、すなわち、
予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するステップであって、周波数に関する情報は、第1のユーザ機器に、周波数に関する情報に対応する第2の伝送キャリア周波数で同期信号を探索するように命令するために使用される、ステップ
をさらに行う。
【０３２１】
別の実施方式では、同期制御情報は、専用同期信号アイデンティティと、第1の予め設定された閾値と、を含み、
プロセッサによって、第1の同期信号のアイデンティティ情報、第1の同期ソースの信号品質、および同期制御情報に従って、同期信号の送信を開始するか否かを判定するステップを行うステップは、
第1の同期信号のアイデンティティが専用同期信号アイデンティティと同じであり、かつ第1の同期ソースの信号品質が第1の予め設定された閾値未満である場合、第1のユーザ機器によって、同期信号の送信を開始すると判定するステップ、または
探索により同期信号が取得されない場合、第1のユーザ機器によって、同期信号の送信を開始すると判定するステップ
を含む。
【０３２２】
さらに別の実施方式では、同期制御情報は、専用同期信号アイデンティティと、第2の予め設定された閾値と、を含み、
プロセッサによって、第1の同期信号のアイデンティティ情報、第1の同期ソースの信号品質、および同期制御情報に従って、同期信号の送信を開始するか否かを判定するステップを行うステップは、
第1の同期信号のアイデンティティが専用同期信号アイデンティティとは異なり、かつ第1の同期ソースの信号品質が第2の予め設定された閾値よりも大きい場合、同期信号の送信を開始すると判定するステップ
を含む。
【０３２３】
さらに別の実施方式では、プロセッサによって、同期信号の送信を開始すると判定するステップを行うステップの後、プロセッサは、以下のステップ、すなわち、
専用同期信号アイデンティティに対応する同期信号を第2の同期信号として使用するステップ、または
第1の同期信号のアイデンティティと第1の同期ソースの信号品質とをサービングセルに送信するステップと、
サービングセルが送信した専用指示情報を受信するステップと、
専用指示情報に従って、専用同期信号アイデンティティに対応する同期信号を第2の同期信号として使用するステップと、
をさらに行う。
【０３２４】
さらに別の実施方式では、第2の伝送キャリア周波数の周波数は、第3の伝送キャリア周波数の周波数と同じである。
【０３２５】
さらに別の実施方式では、同期制御情報は、専用同期信号アイデンティティと、専用同期信号アイデンティティに対応する優先度と、第1の予め設定された優先度と、第3の予め設定された閾値と、を含み、
プロセッサによって、第1の同期信号のアイデンティティ、第1の同期ソースの信号品質、および同期制御情報に従って、同期信号の送信を開始するか否かを判定する、ステップを行う、ステップは、
第1の同期信号のアイデンティティが専用同期信号アイデンティティと同じであり、かつ専用同期信号アイデンティティに対応する優先度が第1の予め設定された優先度以上であり、かつ第1の同期ソースの信号品質が第3の予め設定された閾値未満である場合、同期信号の送信を開始すると判定するステップ
を含む。
【０３２６】
さらに別の実施方式では、プロセッサによって、同期信号の送信を開始すると判定する、ステップを行う、ステップの後、プロセッサは、以下のステップ、すなわち、
専用同期信号アイデンティティに対応する同期信号を第2の同期信号として使用するステップ、または
第1のサイドリンク同期信号アイデンティティを取得するステップと、
第1のサイドリンク同期信号アイデンティティに対応する同期信号を第2の同期信号として使用するステップであって、第1のサイドリンク同期信号アイデンティティは、同期制御情報に含まれ、かつ専用同期信号アイデンティティに対応する、ステップと、同期制御情報が複数の専用同期信号アイデンティティを含む場合、第1のユーザ機器が同期信号の送信を開始できる複数の第1の同期ソースを検出したときに、優先度が最も高く、かつ同期信号の送信を開始するために使用できる、専用同期信号アイデンティティに対応する第1のサイドリンク同期信号アイデンティティを取得し、第1のサイドリンク同期信号アイデンティティに対応する同期信号を第2の同期信号として使用する、ステップ、または
第1の同期信号のアイデンティティと第1の同期ソースの信号品質とをサービングセルに送信するステップと、
サービングセルが送信した専用指示情報を受信するステップと、
専用指示情報に従って、専用同期信号アイデンティティに対応する同期信号を第2の同期信号として使用するステップと、
をさらに行う。
【０３２７】
さらに別の実施方式では、同期制御情報は、専用同期信号アイデンティティと、専用同期信号アイデンティティに対応する優先度と、第2の予め設定された優先度と、第4の予め設定された閾値と、を含み、
プロセッサによって、第1の同期信号のアイデンティティ、第1の同期ソースの信号品質、および同期制御情報に従って、同期信号の送信を開始するか否かを判定する、ステップを行う、ステップは、
第1の同期信号のアイデンティティが専用同期信号アイデンティティと同じであり、かつ専用同期信号アイデンティティに対応する優先度が第2の予め設定された優先度未満であり、かつ第1の同期ソースの信号品質が第4の予め設定された閾値よりも大きい場合、同期信号の送信を開始すると判定するステップ
を含む。
【０３２８】
さらに別の実施方式では、プロセッサによって、同期信号の送信を開始すると判定する、ステップを行う、ステップの後、プロセッサは、以下のステップ、すなわち、
専用同期信号アイデンティティに対応する同期信号を第2の同期信号として使用するステップ、または
第2のサイドリンク同期信号アイデンティティを取得するステップと、
第2のサイドリンク同期信号アイデンティティに対応する同期信号を第2の同期信号として使用するステップであって、第2のサイドリンク同期信号アイデンティティは、同期制御情報に含まれ、かつ専用同期信号アイデンティティに対応する、ステップ、または
第1の同期信号のアイデンティティと第1の同期ソースの信号品質とを第1のサービングセルに送信するステップと、
サービングセルが送信した専用指示情報を受信するステップと、
専用指示情報に基づいて、専用同期信号アイデンティティに対応する同期信号を第2の同期信号として使用するステップと、
をさらに行う。
【０３２９】
さらに別の実施方式では、専用同期信号アイデンティティは、物理セルアイデンティティPCI、サイドリンク同期信号アイデンティティSLSS ID、PLMNアイデンティティ、または伝送キャリア周波数アイデンティティを含む。
【０３３０】
さらに別の実施方式では、プロセッサは、以下のステップ、すなわち、
予め構成された情報を使用することによって、サービングセルがブロードキャストしたシステム情報を受信することによって、またはサービングセルが送信したRRC専用制御シグナリングを受信することによって、同期制御情報を取得するステップ
をさらに行う。
【０３３１】
本発明の本実施形態で提供されるユーザ機器によれば、ユーザ機器は、サービングセルの同期制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期制御情報に従って、同期信号の送信を開始するか否かを判定し、同期信号の送信を開始すると判定した場合、ユーザ機器は、サービングセルのキャリア周波数の周波数とは異なる周波数である、第3の伝送キャリア周波数で第2の同期信号を送信し、第2の同期信号は、第3の伝送キャリア周波数で、任意の近隣のユーザ機器に、ユーザ機器が送信した同期信号に従って同期を行うように命令するために使用され、その結果、マルチキャリア周波数伝送シナリオにおける異なるユーザ機器間における同期の問題を解決できる。
【０３３２】
図18は、本発明の一実施形態によるさらに別のユーザ機器の概略的な構成図である。ユーザ機器7000は、入力装置71と、出力装置72と、メモリ73と、プロセッサ74（ユーザ機器には1つ以上のプロセッサ74が存在してもよく、図18では1つのプロセッサが存在する例を用いる）と、を備える。本発明の一部の実施形態では、入力装置71、出力装置72、メモリ73、およびプロセッサ74は、バスまたは別の方式を用いて接続されてもよく、図18では、バスを使用して接続を実装した例を用いている。
【０３３３】
プロセッサ74は、以下のステップ、すなわち、
サービングセルの同期ソース検出制御情報を取得するステップであって、サービングセルは、第1の伝送キャリア周波数に配置される、ステップと、
第2の伝送キャリア周波数を探索することによって得られた第1の同期ソースが送信した第1の同期信号のアイデンティティと、第1の同期ソースの信号品質と、を取得するステップと、
第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定するステップであって、第3の伝送キャリア周波数の周波数は、第1の伝送キャリア周波数の周波数とは異なる、ステップと、
を行うように構成される。
【０３３４】
一実施方式では、プロセッサによって、第2の伝送キャリア周波数を探索することによって得られた第1の同期ソースが送信した第1の同期信号のアイデンティティと、第1の同期ソースの信号品質と、を取得するステップを行うステップの前に、プロセッサは、以下のステップ、すなわち、
予め構成された情報を使用することによって、サービングセルが送信したシステムブロードキャスト情報を受信することによって、またはサービングセルが送信したRRC専用制御シグナリングを受信することによって、第2の伝送キャリア周波数の周波数に関する情報を取得するステップであって、周波数に関する情報は、ユーザ機器に、周波数に関する情報に対応する第2の伝送キャリア周波数で同期信号を探索するように命令するために使用される、ステップ
をさらに行う。
【０３３５】
別の実施方式では、同期ソース検出制御情報は、専用同期信号アイデンティティと、第1の予め設定された閾値と、を含み、
プロセッサによって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定する、ステップを行う、ステップは、
第1の同期信号のアイデンティティが専用同期信号アイデンティティと同じであり、かつ第1の同期ソースの信号品質が第1の予め設定された閾値よりも大きい場合、第3の伝送キャリア周波数でD2D通信を行う同期ソースとして第1の同期ソースを使用すると判定するステップ
を含む。
【０３３６】
さらに別の実施方式では、同期ソース検出制御情報は、専用同期信号アイデンティティと、専用同期信号アイデンティティに対応する優先度と、第2の予め設定された閾値と、をさらに含み、
プロセッサによって、第1の同期信号のアイデンティティ、第1の同期ソースの信号品質、および同期ソース検出制御情報に従って、第3の伝送キャリア周波数でD2D通信を行う同期ソースとして第1の同期ソースを使用するか否かを判定する、ステップを行う、ステップは、
第1の同期信号のアイデンティティが専用同期信号アイデンティティと同じであり、かつ第1の同期ソースの信号品質が第2の予め設定された閾値よりも大きい場合、第1の同期ソースが候補同期ソースであると判定するステップと、
少なくとも1つの候補同期ソースが判定された場合、少なくとも1つの候補同期ソースにおける、専用同期信号アイデンティティに対応する優先度が最も高い同期ソースが、第3の伝送キャリア周波数でD2D通信を行う同期ソースであると判定するステップと、
を含む。
【０３３７】
さらに別の実施方式では、ユーザ機器は、以下のステップ、すなわち、
予め構成された情報を使用することによって、サービングセルがブロードキャストしたシステム情報を受信することによって、またはサービングセルが送信したRRC専用制御シグナリングを受信することによって、同期ソース検出制御情報を取得するステップ
をさらに行う。
【０３３８】
本発明の本実施形態で提供されるユーザ機器によれば、ユーザ機器は、サービングセルの同期ソース検出制御情報を取得し、第2の伝送キャリア周波数を探索することによって得られた第1の同期ソースが送信した第1の同期信号のアイデンティティと、第1の同期ソースの信号品質と、を取得し、第1の同期信号のアイデンティティ、第1の同期ソースの信号品質、および同期ソース検出制御情報に従って、サービングセルのキャリア周波数の周波数とは異なる第3の伝送キャリア周波数でD2D通信を行う同期ソースとして第1の同期ソースを使用するか否かを判定して、判定された同期ソースに従ってD2D通信を行う。
【０３３９】
図19は、本発明の一実施形態によるさらに別のサービングセルの概略的な構成図である。ユーザ機器8000は、入力装置81と、出力装置82と、メモリ83と、プロセッサ84（サービングセルには1つ以上のプロセッサ74が存在してもよく、図19では1つのプロセッサが存在する例を用いる）と、を備える。本発明の一部の実施形態では、入力装置81、出力装置82、メモリ83、およびプロセッサ84は、バスまたは別の方式を用いて接続されてもよく、図19では、バスを使用して接続を実装した例を用いている。
【０３４０】
プロセッサ84は、以下のステップ、すなわち、
第1のユーザ機器に同期制御情報を送信するステップであって、同期制御情報は、第1のユーザ機器に、第2の伝送キャリア周波数を探索することによって得られた第1の同期ソースが送信した第1の同期信号のアイデンティティと、第1の同期ソースの信号品質と、を取得し、かつ第1の同期信号のアイデンティティおよび第1の同期ソースの信号品質に従って、第3の伝送キャリア周波数で第2の同期信号を送信するか否かを判定するように命令するために使用され、サービングセルは、第1の伝送キャリア周波数に配置され、第1の伝送キャリア周波数の周波数は、第3の伝送キャリア周波数の周波数とは異なる、ステップと、
第2のユーザ機器に同期ソース検出制御情報を送信するステップであって、同期ソース検出制御情報は、第2のユーザ機器に、第4の伝送キャリア周波数を探索することによって得られた第2の同期ソースが送信した第3の同期信号のアイデンティティと、第3の同期ソースの信号品質と、を取得し、かつ第3の同期信号のアイデンティティおよび第3の同期ソースの信号品質に従って、第5の伝送キャリア周波数でD2D通信を行う同期ソースとして第2の同期ソースを使用するか否かを判定するように命令するために使用され、第5の伝送キャリア周波数の周波数は、第1の伝送キャリア周波数の周波数とは異なる、ステップと、
を行うように構成される。
【０３４１】
一実施方式では、プロセッサは、以下のステップ、すなわち、
第1のユーザ機器が送信した第1の同期信号のアイデンティティと第1の同期ソースの信号品質とを受信するステップと、
第1の同期信号のアイデンティティおよび第1の同期ソースの信号品質に従って、第1のユーザ機器に専用指示情報を送信するステップであって、専用指示情報は、第1のユーザ機器に、専用指示情報に従って第2の同期信号を判定するように命令するために使用される、ステップと、
をさらに行う。
【０３４２】
本発明の本実施形態で提供されるサービングセルによれば、ユーザ機器は、探索することによって得られた同期信号のアイデンティティ、同期ソースの信号品質、およびサービングセルの同期制御情報に従って、同期信号の送信を開始するか否かを判定してもよく、同期信号の送信を開始すると判定された場合、ユーザ機器は、サービングセルのキャリア周波数の周波数とは異なる周波数の専用伝送キャリア周波数で第2の同期信号を送信して、専用伝送キャリア周波数で任意の近隣のユーザ機器を制御して、ユーザ機器が送信した同期信号に従って同期を行い、ユーザ機器は、探索することによって得られた同期信号のアイデンティティ、同期ソースの信号品質、およびサービングセルの同期ソース検出制御情報に従って、サービングセルのキャリア周波数の周波数とは異なる周波数の専用伝送キャリア周波数でD2D通信を行う同期ソースとして、探索することによって得られた同期ソースを使用するか否かを判定して、判定された同期ソースに従ってD2D通信を行う。
【０３４３】
簡潔な説明のために、前述の方法の実施形態は、一連の動作として表されていることに留意されたい。しかしながら、本発明によればいくつかのステップは他の順序で、または同時に実行され得ることから、本発明は記述された動作の順序に限定されないことを、当業者には理解されたい。加えて、本明細書に記載されたすべての実施形態は例示的な実施形態に属するものであることと、含まれる動作およびモジュールは必ずしも本発明にとって必須のものではないことと、も当業者には理解されたい。
【０３４４】
上述した実施形態では、各実施形態の説明には、それぞれの重点がある。一実施形態において詳細に記載されていない部分については、他の実施形態における関連説明を参照されたい。
【０３４５】
本発明の実施形態における方法のステップの順番は調整することができ、特定のステップを実際の必要性に応じて結合または削除することもできる。
【０３４６】
本発明の実施形態のユニットに対して、実際の必要に応じて、結合、分割、削除を行うことができる。当業者は、本明細書に記載された異なる実施形態または異なる実施形態の特徴を組み合わせることができる。
【０３４７】
上述の実施形態の説明により、当業者であれば、本発明がハードウェア、ファームウェア、またはそれらの組み合わせによって実施されてもよいことは明確に理解されよう。本発明がソフトウェアによって実施される場合、前述の機能は、コンピュータ可読媒体に格納されてもよいし、コンピュータ可読媒体内の1つ以上の命令またはコードとして送信されてもよい。コンピュータ可読媒体としては、コンピュータ記憶媒体および通信媒体が挙げられ、通信媒体は、コンピュータプログラムをある場所から別の場所に送信することを可能にする任意の媒体を含む。記憶媒体は、コンピュータにアクセス可能な任意の利用可能な媒体であり得る。以下、例としてであり、限定するものではないが、コンピュータ可読媒体としては、ランダムアクセスメモリ（Random Access Memory、RAM）、読み出し専用メモリ（Read−Only Memory、ROM）、電気的に消去可能なプログラマブル読み取り専用メモリ（Electrically Erasable Programmable Read−Only Memory、EEPROM）、コンパクトディスク読み出し専用メモリ（Compact Disc Read−Only Memory、CD−ROM）もしくは他の光ディスク記憶装置、ディスク記憶媒体もしくは他のディスク記憶装置、または所期のプログラムコードをコマンドまたはデータ構造の形態で運ぶ、もしくは記憶するために使用でき、かつコンピュータによってアクセスできる任意の他の媒体が挙げられる。加えて、任意の接続部は、コンピュータ可読媒体として適切に定義することができる。例えば、ウェブサイト、サーバまたは別のリモートソースから、同軸ケーブル、光ファイバ／ケーブル、ツイストペア、デジタル加入者回線（Digital Subscriber Line，DSL）または赤外線、電波およびマイクロ波などの無線技術を使用して、ソフトウェアを伝送する場合、同軸ケーブル、光ファイバ／ケーブル、ツイストペア、DSLまたは赤外線、電波およびマイクロ波などの無線技術は、それらが属する媒体の定義に含まれる。例えば、本発明により用いられるディスク（Disk）およびディスク（disc）は、コンパクトディスクCD、レーザディスク、光ディスク、デジタル多用途ディスク（DVD）、フロッピーディスク、およびブルーレイディスクを含み、diskは、一般的に、磁気的手段によりデータを複製し、discは、レーザ手段によりデータを光学的に複製する。上述の組み合わせも、コンピュータ可読媒体の保護範囲に含まれるべきである。
【０３４８】
まとめると、上で説明したことは、本発明の技術的解決策の単なる例示的な実施形態であるが、本発明の保護範囲を限定することを意図するものではない。本発明の趣旨および原理から逸脱することなくなされる、あらゆる修正、均等な置き換え、または改良は、本発明の保護範囲内に含まれるものとする。
【符号の説明】
【０３４９】
11  取得ユニット
12  判定ユニット
13  送信ユニット
21  取得ユニット
22  判定ユニット
23  送信ユニット
24  同期ユニット
31  取得ユニット
32  判定ユニット
41  送信ユニット
51  送信ユニット
52  受信ユニット
61  入力装置
62  出力装置
63  メモリ
64  プロセッサ
71  入力装置 
72  出力装置
73  メモリ
74  プロセッサ
81  入力装置
82  出力装置
83  メモリ
84  プロセッサ
1000  ユーザ機器
2000  ユーザ機器
3000  ユーザ機器
4000  サービングセル
5000  サービングセル
6000  ユーザ機器
7000  ユーザ機器
8000  ユーザ機器
【図１】
0006579597.tif 000002
【図２】
0006579597.tif 000003
【図３】
0006579597.tif 000004
【図４】
0006579597.tif 000005
【図５】
0006579597.tif 000006
【図６】
0006579597.tif 000007
【図７】
0006579597.tif 000008
【図８】
0006579597.tif 000009
【図９】
0006579597.tif 000010
【図１０】
0006579597.tif 000011
【図１１】
0006579597.tif 000012
【図１２】
0006579597.tif 000013
【図１３】
0006579597.tif 000014
【図１４】
0006579597.tif 000015
【図１５】
0006579597.tif 000016
【図１６】
0006579597.tif 000017
【図１７】
0006579597.tif 000018
【図１８】
0006579597.tif 000019
【図１９】
0006579597.tif 000020